(57)【要約】【課題】１又は複数の誘導的に動力を備えた装置に電力を提供する。【解決手段】誘導電力供給システムは、誘導的に動力を備えた装置に与えられる電力量を制御するために物理的な距離又は一次コイルと二次コイルの間のそれぞれの方向を変化させる機構を含む。別の態様では、本発明は、一次コイル及び一次コイルによって発生させられる磁界内に配列されるレセプタクルを有する誘導電力供給システムに関する。１又は複数の誘導的に動力を備えた装置が、一次コイルから誘導的に電力を受信するためにレセプタクル内にランダムに置かれる。電源回路は、一次コイルに供給される電力を調整する回路を含み、レセプタクル内に配列される誘導的に動力を備えた装置の位置及び累積的な特性に基づいて動作を最適化する。【選択図】図３
2010288450.tif 000002
【特許請求の範囲】
【請求項１】
誘導的に動力を備えた装置であって、
一次コイルを有する電源回路であって、磁界を発生させるために前記一次コイルに電力を供給する電源回路と、
二次コイル及び負荷を備えた二次回路を有する二次アセンブリであって、前記二次アセンブリは磁界内に配列されており、前記磁界は前記負荷に一の大きさの電力を与えるために前記二次コイルに電流を誘導する二次アセンブリと、
前記負荷に与える前記電力の前記大きさを制御するために前記一次コイルと二次コイルの間のそれぞれの位置を変化させる手段とを備えている装置。
【請求項２】
前記一次コイルと前記二次コイルの間の前記それぞれの位置を変化させる前記手段は、前記一次コイルと前記二次コイルの間の距離を変化させる手段を含むことを特徴とする請求項１に記載の誘導的に動力を備えた装置。
【請求項３】
前記一次コイルと前記二次コイルの間の前記距離を変化させる前記手段は、それぞれが前記一次コイルと異なる距離である複数の取り付け位置を有する二次アセンブリ支持部を含み、前記二次アセンブリが別の前記取り付け位置に選択的に取り付け可能であることを特徴とする請求項２に記載の誘導的に動力を備えた装置。
【請求項４】
前記一次コイルと前記二次コイルの間の前記距離を変化させる前記手段は、前記一次コイルに隣接して配置される柔軟な支持部を含み、前記二次アセンブリは、前記柔軟な支持部に取り付けられ、前記柔軟な支持部は、前記一次コイルと前記二次コイルの間の前記距離を変化させるように折り曲げることができることを特徴とする請求項２に記載の誘導的に動力を備えた装置。
【請求項５】
前記一次コイルと前記二次コイルの間の前記距離を変化させる前記手段は、前記一次コイル及び釣合い重りに隣接して配列される支持部を含み、前記二次アセンブリは、前記支持部に取り付けられ、前記支持部は前記一次コイルと前記二次コイルの間の前記距離を変化させるように移動可能であり、前記釣合い重りは、前記二次アセンブリを所定の位置に保持するように前記二次アセンブリの重さをオフセットすることを特徴とする請求項２に記載の誘導的に動力を備えた装置。
【請求項６】
前記一次コイルは、一次ハウジング内に収容され、前記一次コイルと前記二次コイルの間の前記距離を変化させる前記手段は、前記一次ハウジング内の前記一次コイルを移動させる手段を含むことを特徴とする請求項２に記載の誘導的に動力を備えた装置。
【請求項７】
前記一次コイルと前記二次コイルの間の距離を変化させる前記手段は、前記二次アセンブリ内の前記二次コイルを移動させる手段を含むことを特徴とする請求項２に記載の誘導的に動力を備えた装置。
【請求項８】
前記誘導的に動力を備えた装置は、前記一次コイルを支持するシャフトを含み、前記一次コイルと前記二次コイルの間の前記距離を変化させる前記手段は、前記シャフトに関して前記一次コイルを移動させる手段を含むことを特徴とする請求項２に記載の誘導的に動力を備えた装置。
【請求項９】
前記一次コイルと前記二次コイルの間の前記距離を変化させる前記手段は、ラックとウォームの歯車を含み、前記一次コイルは前記ラックに取り付けられ、前記ウォーム歯車は前記ラックの線形移動をさせるように動作し得ることを特徴とする請求項２に記載の誘導的に動力を備えた装置。
【請求項１０】
前記一次コイルと前記二次コイルの間の前記それぞれの位置を変化させる前記手段は、前記一次コイルと前記二次コイルの間の角度方向を変化させる手段を含むことを特徴とする請求項１に記載の誘導的に動力を備えた装置。
【請求項１１】
前記一次コイル及び前記二次コイルは、他方内に一方が配列され、前記一次コイル及び前記二次コイルのうちの少なくとも１つが前記装置に枢転可能に取り付けられていることを特徴とする請求項１０に記載の誘導的に動力を備えた装置。
【請求項１２】
前記一次コイルを支持するシャフトと、
前記二次コイルを支持するアームであって、前記シャフトについて枢転移動するために取り付けられているアームとをさらに含んでいる請求項１０に記載の誘導的に動力を備えた装置。
【請求項１３】
前記電源回路は、前記負荷が指示する前記電力の特性を監視する手段及び監視された前記特性に基づいて前記電力の特性を変化させる手段を含み、前記電源回路は、前記１又は複数の誘導的に動力を備えた装置の関数として動作を最適化するために前記電力を変化させることを特徴とする請求項１に記載の誘導的に動力を備えた装置。
【請求項１４】
前記負荷は、光源としてさらに定義されることを特徴とする請求項１３に記載の誘導的に動力を備えた装置。
【請求項１５】
前記二次回路は、前記一次コイルと前記光源の間に電気的に直列に接続されるキャパシタをさらに含むことを特徴とする請求項１４に記載の誘導的に動力を備えた装置。
【請求項１６】
誘導的に動力を備えた光アセンブリであって、
磁界を発生させる一次コイルと、
ランプアセンブリであって、
光源と、
第１の光透過部及び第２の光透過部を有するハウジングであって、前記第１の光透過部は前記第２の光透過部とは異なる光透過特性を有するハウジングとを含むランプアセンブリとを備え、
前記ランプアセンブリは、少なくとも２つの別個の方向に前記磁界内で取り付け可能であることを特徴とする光アセンブリ。
【請求項１７】
前記第１の光透過部は、実質的に透明であり、前記第２の光透過部は、前記第２の光透過部は実質的に半透明であることを特徴とする請求項１６に記載の光アセンブリ。
【請求項１８】
前記第１の光透過部は、前記第１の光透過部は、実質的に半透明である前記第２の光透過部よりも大きいことを特徴とする請求項１６に記載の光アセンブリ。
【請求項１９】
前記第１の光透過部及び前記第２の光透過部のうちの少なくとも１つは、レンズであるであることを特徴とする請求項１６に記載の光アセンブリ。
【請求項２０】
前記第１の光透過部は、実質的に透明であり、前記第２の光透過部は、実質的に半透明であることを特徴とする請求項１６に記載の光アセンブリ。
【請求項２１】
前記第１の光透過部は第１の色であり、前記第２の光透過部は第２の色であり、前記第１の色は、前記第２の色とは異なることを特徴とする請求項１６に記載の光アセンブリ。
【請求項２２】
前記一次コイルの周囲に実質的に取り付けられる支持部をさらに備え、前記ランプアセンブリは、少なくとも２つの別個の方向に前記支持部に取り付け可能であることを特徴とする請求項１６に記載の光アセンブリ。
【請求項２３】
前記第１の透過部は、前記ランプアセンブリが第１の方向に前記支持部に取り付けられる場合に実質的に下方に向けられ、
前記第２の透過部は、前記ランプアセンブリが第２の方向に前記支持部に取り付けられる場合に実質的に下方に向けられることを特徴とする請求項２２に記載の光アセンブリ。
【請求項２４】
前記支持部は開口部を画定し、前記ランプアセンブリは少なくとも２つの別個の方向に前記開口部内に取り付け可能であることを特徴とする請求項２３に記載の光アセンブリ。
【請求項２５】
前記ランプアセンブリは、前記ランプアセンブリが前記第１の方向及び前記第２の方向にある場合に前記開口部内で前記ランプアセンブリを支持するために前記支持部と係合する支持リングを含むことを特徴とする請求項２４に記載の光アセンブリ。
【請求項２６】
磁界を発生させる一次コイルを有する電源回路と、
前記磁界内に配列される二次コイルであって、電力が前記二次コイルにおける前記磁界によって誘導されるようになっている二次コイルと、
前記二次コイルに電気的に接続される負荷であって、前記二次コイルから前記電力を受信する負荷と、
前記負荷に与えられる前記電力を変化させるために前記一次コイルと前記二次コイルの間の相対的な位置を変化させる手段とを備えている誘導的に動力を備えた装置。
【請求項２７】
前記一次コイルと前記二次コイルの間の前記それぞれの位置を変化させる前記手段は、前記一次コイルと前記二次コイルの間の距離を変化させる手段を含むことを特徴とする請求項２６に記載の誘導的に動力を備えた装置。
【請求項２８】
前記一次コイルと前記二時コイルの間の前記それぞれの位置を変化させる前記手段は、前記一次コイルと前記二次コイルの間の角度方向を変化させる手段を含むことを特徴とする請求項２６に記載の誘導的に動力を備えた装置。
【請求項２９】
一次コイルを有する電源回路であって、磁界を発生させるために前記一次コイルに電力を与える電源回路と、
複数の二次装置であって、各二次装置は二次コイル及び負荷を有する二次回路を含む二次回路と、
前記一次コイルに隣接して配列されるレセプタクルであって、前記複数の二次装置の１又は複数を受信できるレセプタクルであって、前記二次コイルは前記磁界内で実質的にランダムな位置で実質的にランダムな方向に配列され、前記磁界は前記負荷に電力を与えるために前記二次コイルに電流を誘導することを特徴とするレセプタクルとを備える誘導的に動力を備えた装置。
【請求項３０】
前記電源回路は、前記二次装置の特性の関数として前記一次コイルに与えられる前記電力を変化させる手段を含むことを特徴とする請求項２９に記載の誘導的に動力を備えた装置。
【請求項３１】
前記電源回路は、前記複数の二次装置が指示する前記電力の特性を監視する手段及び前記監視された特性に基づいて前記電力の特性を変化させる手段を含み、前記電源回路は、前記複数の二次装置の関数として動作を最適化するために前記電力を変化させることを特徴とする請求項２９に記載の誘導的に動力を備えた装置。
【請求項３２】
前記レセプタクルは、一般には、皿形状であり、前記一次コイルは、前記レセプタクルに同心状に配列されることを特徴とする請求項２９に記載の誘導的に動力を備えた装置。
【請求項３３】
前記レセプタクルは、一般には、皿形状であり、前記一次コイルは、前記レセプタクルの周りに実質的に配列されることを特徴とする請求項２９に記載の誘導的に動力を備えた装置。
【請求項３４】
前記レセプタクルは、実質的に平面であり、前記一次コイルは、前記レセプタクルの周りに実質的に配列されることを請求項３３に記載の誘導的に動力を備えた装置。
【請求項３５】
前記二次装置それぞれの前記負荷は、光源としてさらに定義されることを特徴とする請求項２９に記載の誘導的に動力を備えた装置。
【請求項３６】
前記二次装置の少なくとも１つは、第１のコイル及び第２のコイルを有する二次コイルを含み、前記第１のコイル及び前記第２のコイルは、異なる角度方向に向けられていることを特徴とする請求項３５に記載の誘導的に動力を備えた装置。
【請求項３７】
第１の光源は、前記第１のコイルに接続されており、第２の光源は、前記第２のコイルに接続されていることを特徴とする請求項３６に記載の誘導的に動力を備えた装置。
【請求項３８】
前記第１の光源は、第１の色の光を発生させており、前記第２の光源は、第２の色の光を発生させており、前記第１の色は前記第２の色は異なることを特徴とする請求項３７に記載の誘導的に動力を備えた装置。
【請求項３９】
前記二次装置の少なくとも１つは、実質的に球状のハウジングを含み、
前記二次コイル、前記二次回路及び前記光源は、前記ハウジング内に配列されていることを特徴とする請求項３５に記載の誘導的に動力を備えた装置。
【請求項４０】
蓄電レセプタクルをさらに備え、前記蓄電レセプタクルは、実質的に前記磁界の外側に配列されることを特徴とする請求項３９に記載の誘導的に動力を備えた装置。
【請求項４１】
前記第１の光源及び前記第２の光源の少なくとも１つは、発光ダイオードであることを特徴とする請求項３７に記載の誘導的に動力を備えた装置。
【請求項４２】
一次コイルに電力を供給するための電源回路であって、前記一次コイルは磁界を発生させるようになっている電源回路と、
１又は複数の誘導的に動力を備えた装置と、
前記一次コイルに隣接して配列されるレセプタクルであって、前記磁界内にランダムに１又は複数の誘導的に動力を備えた装置を受信するレセプタクルとを備え、
前記電源回路は、前記１又は複数の誘導的に動力を備えた装置の累積負荷特性が指示する前記電力の特性を監視する手段及び前記監視された特性に基づいて前記電力の特性を変化させる手段を含み、前記電源回路は、動作の効率を改善するために前記１又は複数の誘導的に動力を備えた装置の関数として前記一次コイルに与えられる前記電力を変化させることを特徴とする誘導電源システム。
【請求項４３】
前記誘導的な動力を備えた装置の少なくとも１つは、第１のコイル及び第２のコイルを有する二次コイルを含み、前記第１のコイル及び前記第２のコイルは、異なる角度方向に向けられることを特徴とする請求項４２に記載の誘導電源システム。
【請求項４４】
前記第１のコイル及び前記第２のコイルは、前記負荷にＤＣ電力を提供するために半ブリッジ配置で電気的に接続されていることを特徴とする請求項４３に記載の誘導電源システム。
【請求項４５】
前記第１のコイル及び前記第２のコイルは、前記負荷にＤＣ電力を提供するために全ブリッジ配置で電気的に接続されていることを特徴とする請求項４３に記載の誘導電源システム。
【請求項４６】
前記第１のコイル及び前記第２のコイルは、前記負荷にＡＣ電力を提供するために前記負荷に対して電気的に並列に接続されていることを特徴とする請求項４３に記載の誘導電源システム。
【請求項４７】
前記誘導的な動力を備えた装置の少なくとも１つは、第１のコイル、第２のコイル及び第３のコイルを有する二次コイルを含み、前記第１のコイル、前記第２のコイル及び前記第３のコイルは、それぞれ互いにおよそ９０度に向けられていることを特徴とする請求項４２に記載の誘導電源システム。
【請求項４８】
前記第１のコイル、前記第２のコイル及び前記第３のコイルは、前記負荷にＤＣ電力を提供するために半ブリッジ配置で電気的に接続されていることを特徴とする請求項４７に記載の誘導電源システム。
【請求項４９】
前記第１のコイル、前記第２のコイル及び前記第３のコイルは、前記負荷にＤＣ電力を提供するために全ブリッジ配置で電気的に接続されていることを特徴とする請求項４７に記載の誘導電源システム。
【請求項５０】
前記第１のコイル、前記第２のコイル及び前記第３のコイルは、前記負荷にＡＣ電力を提供するために前記負荷に対して電気的に並列に接続されていることを特徴とする請求項４８に記載の誘導電源システム。
【請求項５１】
監視する前記手段は、前記一次コイルに与えられる前記電力の電流及び電圧の少なくとも１つを監視する手段を含み、
変化させる前記手段は、前記電流及び前記電圧の少なくとも１つに基づいて前記一次コイルに与えられる前記電力の周波数を変化させる手段を含むことを特徴とする請求項４８に記載の誘導電源システム。
【請求項５２】
一次コイルに電気的に接続される電源回路であって、電源回路は前記一次コイルに電力を与え、前記一次コイルは電磁界を発生させる電源回路と、
複数のランプアセンブリであって、前記ランプアセンブリのそれぞれは二次コイル及び光源を含むランプアセンブリと、
前記電磁界内に配列されるレセプタクルであって、前記複数のランプアセンブリのうちの１又は複数を受信するレセプタクルとを備え、
照明アセンブリによって出力される光は、前記レセプタクル内に配列される前記複数のランプアセンブリのうちの多くを変化させることによって選択的に変化し得ることを特徴とする照明システム。
【請求項５３】
前記ランプアセンブリの少なくとも１つの角度方向は、前記ランプアセンブリによって出力される光を選択的に制御するように変化し得ることを特徴とする請求項５２に記載の照明システム。
【請求項５４】
前記ランプアセンブリの少なくとも１つは、第１の角度方向に向けられる第１のコイル及び第２の角度方向に向けられる第２のコイルを有する二次コイルを含むことを特徴とする請求項５３に記載の照明システム。
【請求項５５】
前記ランプアセンブリの少なくとも１つは、前記第１のコイルに電気的に接続される第１の光源及び前記第２のコイルに電気的に接続される第２の光源を含み、
前記第２の光源に関して前記第１の光源の相対的な明るさは、前記レセプタクル内の前記ランプアセンブリの角度方向及び位置の少なくとも１つを変化させることによって選択的に制御可能であることを特徴とする請求項５４に記載の照明システム。
【請求項５６】
前記第１の光源は、前記第２の光源とは異なる色の光を発生させることを特徴とする請求項５５に記載の照明システム。
【請求項５７】
前記電源回路は、前記レセプタクル内に配列される前記１又は複数のランプアセンブリの累積負荷特性が指示する前記電力の特性を監視する手段及び前記監視された特性に基づいて前記電路句の特性を変化させる手段を含み、
前記電源回路は、前記累積負荷特性の関数として前記一次コイルに与えられる前記電力を変化させることを特徴とする請求項５６に記載の照明システム。
【請求項５８】
監視する前記手段は、前記一次コイルに与えられる前記電力の電流及び電圧のうちの少なくとも１つを監視する手段を含み、
変化させる前記手段は、前記電流及び前記電圧のうちの少なくとも１つに基づいて前記一次コイルに与えられる前記電力の周波数を変化させる手段を含むことを特徴とする請求項５７に記載の照明システム。
【請求項５９】
誘導的に動力を備えた装置のための二次コイルであって、
第１の角度方向に配置される第１のコイルと、
第２の角度方向に配置される第２のコイルであって、前記第１の角度方向が前記第２の角度方向とは異なっている第２のコイルと、
共通の負荷を用いて前記第１のコイル及び前記第２のコイルを電気的に並列に接続する回路手段とを備えている二次コイル。
【請求項６０】
前記第１の角度方向と前記第２の角度方向は、９０度ずれていることを特徴とする請求項５９に記載の二次コイル。
【請求項６１】
第３の角度方向に配置される第３のコイルをさらに備え、前記第３の角度方向は、前記第１の方向及び前記第２の方向とは異なることを特徴とする請求項５９に記載の二次コイル。
【請求項６２】
前記第１の角度方向、前記第２の角度方向及び前記第３の角度方向は、お互いにそれぞれ９０度をなしていることを特徴とする請求項６１に記載の二次コイル。
【請求項６３】
前記負荷と、前記第１のコイル、前記第３のコイル及び前記第３のコイルのそれぞれとの間に直列に接続されるキャパシタをさらに備えている請求項６２に記載の二次コイル。
【請求項６４】
前記第１のコイル、前記第２のコイル及び前記第３のコイルは、前記負荷と、前記第１のコイル、前記第３のコイル及び前記第３のコイルのそれぞれとの間に直列に接続されるダイオードを用いて半ブリッジ配置で電気的に接続されていることを特徴とする請求項６１に記載の二次コイル。
【請求項６５】
前記第１のコイル、前記第２のコイル及び前記第３のコイルは、前記負荷と、前記第１のコイル、前記第２のコイル及び前記第３のコイルのそれぞれの反対側との間に直列に接続される一対のダイオードを用いて全ブリッジ配置で電気的に接続されていることを特徴とする請求項６１に記載の二次コイル。
【請求項６６】
前記第１のコイル、前記第２のコイル及び前記第３のコイルは共通のボビンに巻きつけられていることを特徴とする請求項６１に記載の二次コイル。
【請求項６７】
前記第１のコイル、前記第２のコイル及び前記第３のコイルは、共通の実質的に球状のボビンに巻きつけられていることを特徴とする請求項６１に記載の二次コイル。
【請求項６８】
前記第１のコイルは、第１のボビンに巻きつけられており、前記第２のコイルは、第２のボビンに巻きつけられており、前記第３のコイルは、第３のボビンに巻きつけられていることを特徴とする請求項６１に記載の二次コイル。
【請求項６９】
前記第１のボビンは、前記第２のボビン内に取り付けられており、前記第２のボビンは、前記第３のボビン内に取り付けられていることを特徴とする請求項６８に記載の二次コイル。
【請求項７０】
前記第１のボビンは第１の直径を有しており、前記第２のボビンは第２の直径を有しており、前記第３のボビンは第３の直径を有しており、前記第１の直径は前記第２の直径より短く、前記第２の直径は前記第３の直径より短くなっており、
前記第１のコイルは、前記第２のコイルより多い巻数を含み、前記第２のコイルは、前記第３のコイルより多い巻数を含むことを特徴とする請求項６８に記載の二次コイル。
【請求項７１】
負荷と、
前記負荷に電気的に接続される二次コイルであって、前記負荷と電気的に接続される第１のコイル及び前記負荷と電気的に接続される第２のコイルを含む二次コイルであって、前記第１のコイルは第１の角度方向に配置され、前記第２のコイルは前記第１の角度方向とは異なる第２の角度方向に配置されている二次コイルとを備えることを特徴とする誘導的に動力を備えた装置。
【請求項７２】
前記第１の角度方向と前記第２の角度方向は、およそ９０度をなしていることを特徴とする請求項７１に記載の二次コイル。
【請求項７３】
第３の角度方向に配置される第３のコイルをさらに備え、前記第３の角度方向は、前記第１の方向及び前記第２の方向とは異なることを特徴とする請求項７１に記載の二次コイル。
【請求項７４】
前記第１の角度方向、前記第２の角度方向及び前記第３の角度方向は、それぞれお互いにおよそ９０度をなしていることを特徴とする請求項７３に記載の二次コイル。
【請求項７５】
前記負荷と、前記第１のコイル、前記第２のコイル及び前記第３のコイルのそれぞれとの間に直列に接続されているキャパシタをさらに備えている請求項７３に記載の二次コイル。
【請求項７６】
前記第１のコイル、前記第２のコイル及び前記第３のコイルは、前記負荷と、前記第１のコイル、前記第２のコイル及び前記第３のコイルのそれぞれとの間に直列に接続されるダイオードを用いて半ブリッジ配置で電気的に接続されていることを特徴とする請求項７３に記載の二次コイル。
【請求項７７】
前記第１のコイル、前記第２のコイル及び前記第３のコイルは、前記負荷と、前記第１のコイル、前記第２のコイル及び前記第３のコイルのそれぞれの反対側との間に直列に接続される一対のダイオードを用いて全ブリッジ配置で電気的に接続されていることを特徴とする請求項７３に記載の二次コイル。
【請求項７８】
前記第１のコイル、前記第２のコイル及び前記第３のコイルは、共通のボビンに巻きつけられていることを特徴とする請求項７３に記載の二次コイル。
【請求項７９】
前記第１のコイル、前記第２のコイル及び前記第３のコイルは、共通の実質的に球状のボビンに巻きつけられていることを特徴とする請求項７３に記載の二次コイル。
【請求項８０】
前記第１のコイルは、第１のボビンに巻きつけられており、前記第２のコイルは、第２のボビンに巻きつけられており、前記第３のコイルは、第３のボビンに巻きつけられていることを特徴とする請求項７３に記載の二次コイル。
【請求項８１】
前記第１のボビンは、前記第２のボビン内に取り付けられており、前記第２のボビンは、前記第３のボビン内に取り付けられていることを特徴とする請求項８０に記載の二次コイル。
【請求項８２】
前記第１のボビンは、第１の直径を有しており、前記第２のボビンは、第２の直径を有しており、前記第３のボビンは、第３の直径を有しており、前記第１の直径は、前記第２の直径より短く、前記第２の直径は前記第３の直径より短くなっており、
前記第１のコイルは、前記第２のコイルより多くの巻数を含み、前記第２のコイルは前記第３のコイルより多い巻数を含むことを特徴とする請求項８０に記載の二次コイル。
【請求項８３】
従来型のランプソケットで利用するための誘導アダプタであって、
従来型のネジ切りランプソケットに内に取り付けられるようになっているネジ基部と、前記前記従来型のネジ切りランプソケットを介して電力を受信することに基づいて前記ネジに電気的に説億される電源回路と、前記電源回路に電気的に接続されており、前記電源回路から電力を受信する一次コイルと、ランプアセンブリレセプタクルとを含むアダプタ基部と、
前記ランプアセンブリレセプタクル内に取り付けられるランプアセンブリであって、前記ランプアセンブリは光源に電気的に接続される二次コイルを有しており、前記二次コイルは前記光源に電力を提供するように前記一次コイルから誘導的な電力をするランプアセンブリとを備えている誘導アダプタ。
【請求項８４】
前記レセプタクル内の前記ランプアセンブリの位置を変化させるための機械式調光器をさらに備えている請求項８３に記載の誘導アダプタ。
【請求項８５】
前記機械式調光器は前記アダプタ及び前記ランプアセンブリの少なくとも１つに配列されるカムを含むことを特徴とする請求項８４に記載の誘導アダプタ。
【請求項８６】
前記機械式調光器は前記アダプタ及び前記ランプアセンブリの少なくとも１つに配列されるネジを含むことを特徴とする請求項８４に記載の誘導アダプタ。
【請求項８７】
前記ランプアセンブリレセプタクルは空隙を定義し、前記ランプアセンブリは前記空隙内に密接に取り付けられる二次コイルハウジングを含むことを特徴とする請求項８４に記載の誘導アダプタ。
【請求項８８】
前記ランプアセンブリレセプタクル及び二次コイルハウジングの少なくとも１つは、前記ランプアセンブリ及び前記二次コイルハウジングのその他を係合する弾性部材を含むことを特徴とする請求項８７に記載の誘導アダプタ。
【請求項８９】
誘導的に動力を備えたウィンドチャイムであって、
一次コイルを駆動する電源回路と、
前記一次コイルに隣接して移動可能に取り付けられる複数のチャイムアセンブリであって、風により前記チャイムアセンブリが前記一次コイルに関して移動するようになっておいるチャイムアセンブリとを備え、
前記チャイムアセンブリのそれぞれは、二次コイルと、前記二次コイルに電気的に接続される光源と、チャイムとを含み、
風による前記チャイムアセンブリの移動により、前記光源は明るさが変化し、前記チャイムは所望の音を作り出すようにお互いに衝突するようになっているウィンドチャイム。
【請求項９０】
前記一次コイルは、一般的には環状であり、前記チャイムアセンブリのそれぞれは前記一次コイルを有する実質的な水平アライメントで前記二次コイルを有する一次コイル内に取り下げられていることを特徴とする誘導的に動力を備えたウィンドチャイム。
【請求項９１】
前記チャイムアセンブリのそれぞれは、ハウジング、前記二次コイル及び前記ハウジング内に配列される前記光源をさらに含み、前記チャイムは前記ハウジングに取り付けられていることを特徴とする請求項９０に記載の誘導的に動力を備えたウィンドチャイム。
【請求項９２】
第１の負荷と、
第１の大きさで前記第１の負荷に電力を提供するために前記第１の負荷に電気的に接続される第１の二次コイルと、
第２の負荷と、
第２の大きさで前記第２の負荷に電力を提供するために前記第２の負荷に電気的に接続される第２の二次コイルとを備えている誘導的に動力を備えた装置。
【請求項９３】
前記第１の二次コイル及び前記第２の二次コイルは、装置について異なる方向に配列されており、前記第１の大きさ及び前記第２の大きさは、前記装置が磁界内で方向を変化させるように反比例の関係で変化することを特徴とする請求項９２に記載の誘導的に動力を備えた装置。
【請求項９４】
第３の大きさで前記第３の負荷に電力を提供するために前記第３の負荷に電気的に接続される第３の負荷及び第３の二次コイルをさらに含む請求項９２に記載の誘導的に動力を備えた装置。
【請求項９５】
前記第１の二次コイル、前記第２の二次コイル及び前記第３の二次コイルは、前記装置について異なる方向に配列されており、前記第１の大きさ、前記第２の大きさ及び前記第３の大きさは、前記装置が磁界内で方向を変化させるように変化することを特徴とする請求項９４に記載の誘導的に動力を備えた装置。
【請求項９６】
前記第１の二次コイル、前記第２の二次コイル及び前記第３の二次コイルは、お互いにおよそ９０度に向けられていることを特徴とする請求項９５に記載の誘導的に動力を備えた装置。
【発明の詳細な説明】
【技術分野】
【０００１】
本発明は、２００２年４月２６日に出願された“Inductively Powered Lamp Assembly（誘導的に動力を備えたランプアセンブリ）”と称する米国出願番号１０／１３３，８６０の一部を継続し、２０００年６月１２日に出願された“Fluid Treatment System（流体処置システム）”と称する米国出願番号９０／５９２，１９４の一部を継続するものである。
【０００２】
また、本発明は、２００２年９月１８日に出願された“Inductively Coupled Ballast Circuit（誘導的に結合された安定器回路）”米国出願番号１０／２４６，１５５の一部を継続し、２００２年６月１８日に出願した“Fluid Treatment System（流体処置システム）”と称する米国特許出願番号１０／１７５，０９５であって、２０００年６月１２日に出願された“Fluid Treatment System（流体性処置システム）”と称する米国特許出願番号０９／５９２，１９４の一部を継続する出願の一部を継続するものである。米国特許出願番号９０／５９２，１９４は、１９９９年６月２１日に出願された“Water Treatment System with an Inductively Coupled Ballast（誘導的に結合された安定器を用いた水処理システム）”と称する仮特許出願番号６０／１４０，１５９、及び１９９９年６月２１日に出願された“Point-of-Use Water Treatment System（水処理システムの利用点）”について３５Ｕ．Ｓ．Ｃ．§１１９(ｅ)の下での利益を主張する。
【０００３】
本出願は、２００２年８月２日に出願された“Bulb（バルブ）”と称する米国出願番号２９／１６５，０４３；２００２年８月２日に出願された“Bowl Lamp（ボールランプ）”と称する米国出願番号２９／１６５，００８；２００２年８月２日に出願された“Bulb（バルブ）”と称する米国出願番号２９／１６５，０１２；２００２年８月２日に出願された“Lamp（ランプ）”と称する米国出願番号２９／１６５，００５；２００２年８月２日に出願された“Bulb（バルブ）”と称する米国出願番号２９／１６５，００９；及び２００２年８月２日に出願された“Chime（チャイム）”と称する米国出願番号２９／１６５，０１１の一部を継続する。
【背景技術】
【０００４】
本発明は、ワイヤレス電源供給に関し、より詳細には誘導的に動力を備えた装置に関する。
【０００５】
誘導電力転送の原理は、何年も前から知られている。相互インダクタンスの結果として、電源は、電源供給回路の一次コイル（又は単純に“一次”）から二次回路の二次コイル（又は単純に“二次”）に対してワイヤレスに転送される。二次回路は、ランプ、モーター、バッテリーチャージャー又は電気による動力を備えた任意の他の装置などの装置に電気的に接続されている。ワイヤレス接続は、従来の配線による接続よりも多くの優位性を提供する。ワイヤレス接続は、ショックの機会を低減し、電源供給回路と二次回路との間に相対的に高いレベルの電気的絶縁を提供し得る。誘導結合はまた、需要者が寿命制限要素を取り替えることをより簡単にし得る。例えば、装置を明るくする情況において、誘導的に動力を備えたランプアセンブリは、直接の電気的接続をする必要なしに容易に取り替えられ得る。これは、単に実行するための処理を容易にするだけではなく、電気ショックに対する露出の危険を制限する。
【先行技術文献】
【特許文献】
【０００６】
【特許文献１】米国特許番号５，２６４，９９７
【特許文献２】米国特許番号５，５３６，９７９
【特許文献３】米国特許番号５，９４９，１５５
【特許文献４】米国特許番号５，９５２，８１４
【特許文献５】米国特許番号６，０２８，４１３
【０００７】
しかしながら、誘導電力転送の利用は、ほとんどの場合、湿気のある環境での接続などの特定分野への応用に限定されている。誘導電力転送が限定されて利用されるのは、主として、電力転送効率が関係する結果である。誘導結合の効率を改善するために、一次コイルと二次コイルの構成及びレイアウトを注意深く設計することは従来からなされていることである。一次コイル及び二次コイルは、従来は、一次コイルと二次コイルの間に極小のギャップを備えた密接に結び合わせる部品内に配列されている。例えば、一次コイルは、中心開口部を画定する基部内に配列されることが多く、二次コイルは、その基部の中心開口部内に密接に適合する円筒要素内に配列されることが多い。これらの従来の構造は、一次コイルと二次コイルとの間の密接な同軸放射状のアライメントを提供するように設計される。一次コイルと二次コイルの間の固定された所定の物理的関係を提供する従来のアプローチを反映する特許の幾つかの特別な例は、Hutchissonらによる、一次コイルと二次コイルを同軸に密接に嵌合することを備えた誘導ランプを開示する特許文献１、McEachernらによる、充電されることになる装置がコイルを固定された所定の関係に配置するようにクレードル内に密接に取り付けられる誘導充電装置を開示する特許文献２、Tamuraらによる、固定された関係に設定された近接した誘導コイルを有するシェーバを開示する特許文献３、Van Lerbergheによる、一次コイルと二次コイルの物理的関係が固定されることを特徴とする電話のための誘導充電装置を開示する特許文献４、Brockmanによる、誘導コイル間の精密な所定のアライメントを確実に摺るための機械式誘導を有する充電装置を開示する特許文献５を含んでいる。一次と二次のコイルの間に精密なアライメントを提供する従来の手法は、誘導的に動力を備えた装置の全体の設計及び適応性に関して重大な制限を負っている。さらに、従来の誘導システムにおいて、一次コイル及び一次コイルから電力を誘導的に受ける二次コイルを駆動する電源供給回路が設計され、誘導結合の効果を最大にするために互いに適合するように注意深く調整される。これもまた、誘導的に動力を備えた装置の全体の設計及び適応性に関して重要な制限を負っている。
【発明の概要】
【課題を解決するための手段】
【０００８】
上述の問題は、誘導的に動力を備えた装置は、負荷に供給される電力量を制御するために一次コイルと二次コイルとの間の相対的な位置を変更する機構を備えていることを特徴とする本発明によって克服される。一実施形態では、本発明は、一次コイルがランプ基部に取り付けられ、二次コイルがランプアセンブリに取り付けられる減光可能なランプアセンブリに取り入れられる。ランプの明るさは、ランプアセンブリとランプ基部の間の距離を調整することによって制御される。
【０００９】
第２実施形態において、本発明は、ランプ明度が一次コイル及び二次コイルの相対的な角度方向を変更することによって制御される減光可能なランプアセンブリに取り入れられる。本実施形態において、一次コイルは、一般にはリング形状であり、二次コイルはリング内に回転可能に取り付けられる。ランプアセンブリは、一次コイル又は二次コイルのいずれかを回転してそれらの相対的な角度方向が変化するようになっている機械式減光装置を含む。相対的な方向の変化は、二次コイルに転送される電力量を変化させ、それによって、ランプの明るさを変化させる。
【００１０】
別の実施形態において、本発明は、ウィンドチャイムの動作に基づいて明るさが変化する１又は複数のランプを有するウィンドチャイムに取り入れられる。本実施形態において、複数のチャイムアセンブリは、各チャイムアセンブリが個々に動作可能な状態で一次コイル内に浮遊させられている。各チャイムアセンブリは、その上端で一次コイルの磁界内に配列される二次コイルを含む。風が吹くと、チャイムアセンブリは一次コイルに関して振動し、それによって一次コイルの磁界内で二次コイルの位置及び方向を変化させる。これにより、ウィンドチャイムの明るさは風に応じて変化し得る。
【００１１】
さらに別の実施形態において、本発明は、装置に供給される電力の大きさを調整することが望まれる場合に電気的に動力を備えた装置で利用するために無限に調整可能な電源を提供する。電源は、電源と負荷の間に配列される誘導結合を含む。誘導結合は、一次コイル及び二次コイルを含む。無限に調整可能な電源はまた、距離又は角度方向などの一次コイルと二次コイルの間に相対的な配置を選択的に変化させる調整機構を含む。調整機構により、結合係数の調整を可能にし、その結果として、電力の振幅は二次コイルに誘導され、負荷に供給される。
【００１２】
第２の態様において、本発明は、ランダムな位置にかつ一次コイルに関してランダムな方向に配置される複数の誘導電源装置に電力を提供できる誘導電源端末に関する。誘導電源端末は、一般には、ランダムに配置される誘導的に動力を備えた装置を受け入れることができるレセプタクルについて調整される単一の一次コイルを含む。電源回路は、レセプタクルに存在する誘導的に動力を備えた装置の機能として一次コイルに供給される電力を調整するための回路を含む。一実施形態において、レセプタクルは、１又は複数のランプアセンブリが光を提供するように配置され得る皿、ボール又は類似の構造である。各ランプアセンブリは、一次コイルから電力を誘導的に受ける二次コイルを含む。光の明るさは、レセプタクルに配置されるランプアセンブリの数を変化させ、レセプタクル内のランプアセンブリを移動することによって制御され得る。
【００１３】
第３の態様において、本発明は、別の方向に配置される複数のコイルを二次コイルに提供する。多数のコイルにより、二次コイルは、一次コイルに関して別の方向に配列される場合、電力を効率的に受けることができる。一実施形態では、多数のコイルを備えた二次コイルは、誘導的に動力を備えたランプに取り入れられる。ランプアセンブリは、一次コイルの磁界内に別の方向に配置される場合に最大誘導電力を受けることができる。別の実施形態では、ランプアセンブリは、複数のコイルを含み、それぞれは、別の光源、例えば別の色の光源に電気的に接続されている。ランプアセンブリの方向を調整することによって、放射される光の色は、分離した光源のそれぞれの明るさを改めることによって変化し得る。
【００１４】
これら及び他の本発明の対象、利点及び特徴は、望ましい実施形態の詳細な説明及び部面を参照して確実に理解され評価される。
【図面の簡単な説明】
【００１５】
【図１】本発明の実施形態に従う卓上ランプの透視図である。
【図２】図１の卓上ランプの側面図である。
【図３】図１の一部の卓上ランプについて部分的に断面を示す側面図である。
【図４】本発明の一実施形態に従うランプアセンブリの分解組立図である。
【図５】二次回路の概略図である。
【図６】ラックとウォーム（rack-and-worm）の機械式調光器の透視図である。
【図７】ダイヤルを示す卓上ランプの基部の透視図である。
【図８】スライダを示す卓上ランプの基部の透視図である。
【図９】回転を示す卓上ランプの基部の透視図である。
【図１０】代替的な機械式調光器の透視図である。
【図１１ａ】代替的な卓上ランプの側面図である。
【図１１ｂ】図１１ａの代替的な卓上ランプの一部を拡大した側面図である。
【図１２】機械式調光器を示す図１１ａの代替的な卓上ランプの一部を拡大した透視図である。
【図１３】第２の代替的な卓上ランプの側面図である。
【図１４】図１３の第２の代替的な卓上ランプの一部を拡大した側面図である。
【図１５】ロックされた位置でのバインディングタブを示す図１３の第２の代替的な卓上ランプの一部の断面図である。
【図１６】解放された位置でのバインディングタブを示す図１３の第２の代替的な卓上ランプの一部の断面図である。
【図１７】第３の代替的な卓上ランプの透視図である。
【図１８】図１７の第３の代替的な卓上ランプの機械式調光器の透視図である。
【図１９】第３の実施形態の機械式調光器の一部の側面図である。
【図２０】第４の代替的な卓上ランプの透視図である。
【図２１】アームを示すために一部を取り除いた状態で第３の代替的な卓上ランプを部分的に拡大した透視図である。
【図２２】一次ハウジングを示すために一部を取り除いた状態で第３の代替的な卓上ランプを部分的に拡大した透視図である。
【図２３】本発明の実施形態に従って無限に調整可能な電源供給を取り入れている可変スピードファンについて部分的に断面を示す側面図である。
【図２４】第５の代替的な卓上ランプの透視図である。
【図２５】図２４の第５の代替的な卓上ランプを部分的に拡大した透視図である。
【図２６】本発明の実施形態に従う交換ランプ基部を部分的に拡大した側面図である。
【図２７】代替的な交換ランプ基部を部分的な拡大した側面図である。
【図２８】図２７の代替的な交換ランプ基部の一部の透視図である。
【図２９】本発明の実施形態に従うウィンドチャイムの透視図である。
【図３０】ウィンドチャイムの一部を部分的に拡大した透視図である。
【図３１】チャイムアセンブリを部分的に拡大した透視図である。
【図３２】本発明の実施形態に従う電源供給端末の透視図である。
【図３３】電源供給端末の一次アセンブリを部分的に拡大した透視図である。
【図３４】電源供給端末の基部を部分的に拡大した透視図である。
【図３５】本発明の実施形態に従うランプアセンブを部分的に拡大した透視図である。
【図３６】本発明の実施形態に従う多数コイルを有する二次コイルの透視図である。
【図３７】本発明の実施形態に従う多数の二次コイルを有するアセンブリの透視図である。
【図３８ａ】多数コイルを有する二次コイルで利用するための二次回路の概略図である。
【図３８ｂ】多数コイルを有する二次コイルで利用するための代替的な二次回路の概略図である。
【図３８ｃ】多数コイルを有する二次コイルで利用するための第二の代替的な二次回路の概略図である。
【図３９ａ】多数の二次コイルを有するアセンブリで利用するための回路の概略図である。
【図３９ｂ】多数の二次コイルを有するアセンブリで利用するための代替的な回路の概略図である。
【図３９ｃ】多数の二次コイルを有するアセンブリで利用するための第二の代替的な回路の概略図である。
【図３９ｄ】多数の二次コイルを有するアセンブリで利用するための第三の代替的な回路の概略図である。
【発明を実施するための形態】
【００１６】
本発明は、誘導的に動力を備えた装置における改善に関する。第１の態様では、本発明は、一次コイル（“一次側”）と二次コイル（“二次側”）との間の相対的な位置が二次コイルに対して、さらに、その結果として誘導的に動力を備えた装置に対して転送される電力量を介して制御できるように選択的に変更される誘導結合を提供する。本発明に係るこの態様は、例えば、光源の明るさを介して制御できるように、様々なランプ構成に関係して説明される。また、本発明に係るこの態様は、誘導的に動力を備えた装置に供給される電力量を介した制御が望まれる場合には他の電気的に動力を備えた装置に関係して説明される。第２の態様では、本発明は、誘導的な電源端末に関する。第３の態様では、本発明は、ランダムな位置及びランダムな方向に１又は複数の誘導的に動力を備えた装置を受信するためにレセプタクルを提供する。この態様の一実施形態では、二次コイルは、電力が一次コイルと二次コイルの間の精密なアライメントなしに二次コイルにより効率的に誘導されるように、別の方向に配置される多数コイルを含んでいる。一実施形態では、二次コイルは、電力が一次コイルに関して二次コイルの角度方向に関わらず二次コイルに誘導され得るように、デカルト座標系のｘ、ｙ及びｚ軸に沿って方向付けられる３つのコイルを含んでいる。
【００１７】
本発明の実施形態に従う誘導的に動力を備えた卓上ランプ１０を図１に示す。ランプ１０は、一般には、基部１２、ランプアセンブリ１４及び機械式調光器１６（図３参照）を含む。基部１２は、一次コイル２０を駆動する安定器及び電源供給回路１８を含む。ランプアセンブリ１４は、一次コイル２０によって誘導的に動力を備え、光源２６に電力を与える二次コイル２４を有する二次回路２２含む。機械式調光器１６は、ランプ基部１２に移動可能に取り付けられる移動可能なアーム２８を含む。一次コイル２０は、アーム２８の移動が一次コイル２０の移動の結果として生じるようにアーム２８に取り付けられる。ランプアセンブリ１４は、二次コイル２４が一次コイル２０によって作成される磁界内に配置される状態でランプ基部１２から浮遊させられる。アーム２８は、ランプアセンブリ１４（そしてその結果として二次コイル２４）に関して一次コイル２０の位置を変更するように機械的に移動可能であり、それによって、一次コイル２０と二次コイル２４の間の結合係数を変更する。結合係数の変更は、結果としてランプアセンブリ１４に転送される電力の変化を生じ、最終的に光源２６の明るさの変化を生じる。本発明に係るこの態様は、減光可能なランプ１０と関係して説明される。しかしながら、本発明は、二次回路２０に転送される電力量の変化が望まれる場合に任意のアプリケーションで実際上利用するのに適している。例えば、以下でより詳細に述べるように、本発明は、電源供給回路の容量に達して装置に供給される電力量を超えて無限に調整可能な制御を提供するように用いられ得る。
【００１８】
上述したように、例証した実施形態の卓上ランプ１０は、一般には、基部１２、ランプアセンブリ１４及び機械式調光器１６を含む。ランプ基部１２は、一般には、基台３０、シャフト３２及び一次ハウジング３４を含む。例証した実施形態の基台３０は、一般には、シャフト３２及びランプアセンブリ１４に対する安定した支持を提供するのに十分な大きさの直径を有するディスク形状であり、内部の空隙部３１は電源供給回路１８及び機械式調光器１６の一部分を差し込めるようになっている。シャフト３２は、基台から上に向かって延びており、ランプアセンブリ１４を収容する。例証した実施形態では、シャフト３２は、幾分か“？”形状をしており、美学的に満足させる見た目を提供する。シャフト３２は、ランプアセンブリ１４のリング３８を受け取るように構成されるフック３６又は他の接続要素のその上端で終端する。一次ハウジング３４は、一般には、リング形状であり、一次コイル２０に対するシェル又はハウジングを提供するように空洞である。一次ハウジング３４は、一般的には、ランプアセンブリ１４の二次ハウジング２５を取り囲む位置で一次コイル２０を支持するアーム２８に取り付けられる。例証した基台３０及びシャフト３２は、所望の美的外観を提供される。本発明は、多様なデザインのランプを容易に利用できるようになっている。従って、例証した基台１２のデザイン及び構成は、本発明に関して限定して解釈されるべきものではない。電源供給回路１８は、従来の誘導電源回路であるが、一実施形態では、電源供給回路１８は、出典を明示することによりこの中に取り込まれる、２００２年９月１８日に出願された“誘導的に結合される安定回路（Inductively Coupled Ballast Circuit）”と称する米国出願番号１０／２４６，１５５に開示される安定器のような共振検索安定器（a resonance seeking ballast）を含む。例証した実施形態では、電源供給回路１８の原理要素は、例えば図３に示されるように、基台３０の空隙部３１内に差し込まれている。しかしながら、電源供給回路１８の要素の位置は、ランプデザイン及び所望の美的価値に第一に依存してアプリケーションごとに様々である。例えば、電源供給回路１８の原理要素は、代替的に、基台３０の中又は上の他の位置に配列されるか又はシャフト３２の中又は上に配列してもよい。さらに代替的には、電源供給回路１８の幾つか又は全ての要素は、ランプ１０に対する壁埋め込み式コンセント（図には示されていない）に統合され得る。例証した実施形態では、一次コイル２０は、一般には、リング形状であり、一般にリング形状の一次ハウジング３４内に取り付けられる。一次ハウジング３４は、ランプアセンブリ１４の少なくとも一部を受け付けるのに十分な大きさである中心開口３５を画定する。一次コイル２０（及び一次ハウジング３４）の大きさ、形状及び方向は、ランプ又は他の誘導装置の特別なデザイン特徴に主に依存してアプリケーションごとに変更し得る。述べてきた実施形態では、一次コイル２０は、１．２５インチの内径を有し、一般に従来のプラスティックボビン３３の周りを環状に覆った５０回巻のワイヤ６３を含む。ワイヤ６３は、真直ぐな２６ゲージワイヤであってもよい。加えて、特にこの実施形態では、���記で参照した特許出願のキャパシタ２７１及び２７２の値は、６６ｎＦである。
【００１９】
ランプアセンブリ１４は、一般には、二次回路２２（図４及び５を参照）によって動力を備える白熱バルブなどの光源２６を含む。この実施形態では、光源２６は、所望の美的外観を提供するように特注で形成される。光源２６の上端は、光源２６をシャフト３２の終端に画定されるフック３６から吊るすことができる小さなリング３８を画定するように形づくられる。例証した実施形態の特注形成されたランプは、単に例示的なものに過ぎず、光源２６はアプリケーションごとに望まれるように様々であり得る。特注形成されたランプ２６に対する代替として、ランプアセンブリ１４は、所望の美的外観を提供するように設計されるハウジング（図示されていない）内に入れ得る従来のランプ（図示されていない）を含み得る。例えば、特注形成された光源２６は、装飾を施した美的に満足させるハウジング内に取り付けられる標準の白熱光源によって置換され得る。この代替的な実施形態では、二次回路２２はまた、ハウジング内に包まれてもよい。
【００２０】
上述のように、ランプアセンブリ１４は、ランプ２６に電力を提供する二次回路２２を含む。二次回路２２は、一次コイル２０によって誘導的に駆動される二次コイル２４を含む。二次回路の概略図を図５に示す。本実施形態では、光源２６は、特注形成される白熱光の３０ワットバルブである。光源２６は、二次コイル２４及び必要であればキャパシタ６０と電気的に直列に接続される。本実施形態では、二次コイル２４は、０．２５インチの直径を有し、一般に従来のプラスティックボビン６２の周りを環状に覆った２４回巻のワイヤ６４を含む。ワイヤ６４は、真直ぐな２６ゲージワイヤであってもよい。任意のキャパシタ６０は、出典を明示することによりこの中に取り込まれる、２００２年４月２６日に出願された“誘導的に動力を備えたランプアセンブリ（Inductively Powered Lamp Assembly）”と称する米国出願番号１０／１３３，８６０に詳細に述べられているように、二次コイル２４のインダクタンスをオフセットすることによって二次回路２２の電力要素を改善することが意図される。この実施形態では、キャパシタ６０は３３ｎＦの静電容量を含む。二次コイル２４及びキャパシタ６０を含む二次回路２２の特徴は、光源及び電源の特性に第一に依存してアプリケーションごとに様々であり得る。実際には、上述したように、キャパシタ６０は任意であり、幾つかのアプリケーションでは全く排除され得る。この実施形態は白熱光源２６を含むが、本発明は、本質的に、ガス放電バルブ又は発光ダイオードなど任意の他の電磁放射線放射装置を含み得る。
【００２１】
卓上ランプ１０は、光源２６の明るさを制御するために機械式調光器１６を備えている。例示した実施形態では、機械式調光器１６は、一次ハウジング３４（さらにその結果として一次コイル２０）の垂直移動を提供し、一次コイル２０と二次コイル２４の間の物理的な距離を変化させるように、基台１２及びシャフト３２に取り入れられている。示したように、一次ハウジング３４は、移動可能なアーム２８に取り付けられている。この実施形態では、アーム２８は、シャフト３２の垂直スロット５０を通って延びており、ラックとウォーム（rack-and-worm）のアセンブリ７０のラック７２に接続されている。この実施形態では、ランプ基台１２は、機械式調光器１６の移動を制御するために、ダイヤル６６ａ（図７参照）、スライダ６６ｂ（図８参照）又は回転上部（図９参照）を含み得る。ラックとウォームのアセンブリ７０は、ダイヤル６６ａ、スライダ６６ｂ又は回転上部６６ｃの回転移動を従来の機械的原理に従って一次コイル２０の垂直移動に変換する。より詳細には、ダイヤル６６ａ、スライダ６６ｂ又は回転上部６６ｃの移動は、ランプ基台１２内又はシャフト３２内に回転可能に固定されているウォーム歯車７４を回転させる。例証した実施形態では、ダイヤル６６ａは、平歯車６８によってウォーム歯車７４に接続される。結果として、ダイヤル６６ａの回転移動は、平歯車６８そして最終的にはウォーム歯車７４を回転移動させる。ウォーム歯車７４の移動は、順番に、ラック７２そしてその結果として一次コイル２０の垂直線形移動を生じさせる。おそらく最良に図６に示したように、ラック７２は、シャフト３２の内部に対応するリブ（図示されていない）に嵌合される縦方向スロット７３を含む。この接合点により、シャフト３２内でラック７２の垂直移動が可能になる。ウォーム歯車アセンブリの不可逆性により、（すなわちウォーム７４はラック７２を移動させるが、ラック７２はウォーム歯車７４を回転させることはできないので、）それは“自動ロック式”機械式調光器１６を提供する。電源回路から一次ハウジング３４に伝わる電気リード線は、所望の範囲の動作を可能にするように十分な緩みを提供する。代替的に、すり接点（図に示されていない）は、機械式調光器１６の全範囲の動作にわたって電源回路１８と一次コイル２０との間の電気的な接続を保持するように提供され得る。
【００２２】
代替的な機械式調光器８０を図１０に示す。この代替的な実施形態では、アームの内部の端部は、ねじ切り棒８６に取り付けられて動作可能なナット８４を含む。アーム８２の高さは、ねじ切り棒８６を回転させることによって調整され、ナット８４を棒８６のシャフトを上下に移動させる。棒８６は、ダイヤル６６ａ、スライダ６６ｂ又は回転上部６６ｃなど本質的に任意のタイプの制御を利用して回転させられ得る。上述のラックとウォームの実施形態に関して、たるみのある電気リード線、すり接点又は他の同様の機構は、アーム８２の所望の動きにわたって電気的な接続を保持するように提供され得る。
【００２３】
機械式調光器は、代替的には、一次コイル２０に関してランプアセンブリ１４の動きを提供するように構成してもよい。この代替は、システムの電気的な構成を単純化するので、幾つかのアプリケーションにおいて望ましい。より詳細には、電源供給回路１８と一次コイル２０の間の相対的な動きがないなので、ワイヤ又は他の電気的な接続は、相対的な動き（例えばたるみのある電気リード線又はすり接点）に対する任意の調整なしに電源回路１８から一次コイル２０に直接的になされ得る。さらに、ランプアセンブリ１４は内蔵されているので、ランプアセンブリ１４への電気的接続をする必要がない。この代替に従って製造される卓上ランプ１０’の一実施形態では、シャフト３２’は、ランプアセンブリ１４’を受け付けることができる複数のノッチ４０ａ−ｃ’（図１１ａ−ｂ及び１２を参照）を含む。本実施形態では、ランプアセンブリ１４’の上端は、引き伸ばされるリング３８’を提供し、ノッチ４０ａ−ｃ’に適合され得る。例証したように、ランプアセンブリ１４’は、一次ハウジング３４’に関して二次ハウジング２５’の位置を変化させるように、別のノッチ４０ａ−ｃ’から吊るされ得る。これは、順番に、ランプアセンブリ１４’の明るさを変化させる。代替的な卓上ランプ１０”の第２の実施形態では、シャフト３２”は、一次ハウジング３４”についてランプアセンブリ１４”の位置、及びその結果として一次コイルについて二次コイルの位置を変化させるように結合できる柔軟な材料から製造される。幾つかのアプリケーションでは、柔軟なシャフト３２”は、それが動作の下でたとえどの位置で折り曲げられようともそのままであるようにほとんど又は全く反発がない。他のアプリケーションでは、柔軟なシャフト３２”は反発し、機構は所望の位置でシャフト３２”を保持することが必要とされる。図１３−１６に示されるこのタイプのアプリケーションの一実施形態では、重り４２”は、所望の湾曲にシャフト３２”を設定して維持するようにシャフト３２”にうまく嵌りシャフト３２”に沿って移動可能である。一実施形態では、重り４２”は、シャフト３２”にうまく嵌り、シャフト３２”の適所に重りを選択的にロックする、一般には従来型の負荷スプリング形結合クリップ５０”を含む。動作上は、スプリング５２”がシャフト３２”の結合位置に対して結合クリップ５０”にバイアスをかける。重りを移動するために、結合クリップ５０”は、結合クリップ５０”がシャフト３２”に沿って自由にスライドする解放位置に対してスプリング５２”のバイアスに反して押し動かされる。卓上ランプ１０’”の第３の実施形態では、釣り合わせアセンブリ４４’”がランプアセンブリ１４’”の位置を設定するのに用いられる。この実施形態では、シャフト３２’”は、望ましくは、空洞であり、釣り合わせアセンブリ４４’”を取り入れるように内部空間（図示されていない）を画定する。ランプアセンブリ１４’”は、ケーブル４８’”によってシャフト３２’”から吊るされる。ケーブル４８’”は、シャフト３２’”の内部空間にわたって延びており、釣り合わせアセンブリ４４’”に固定されている。リング４０’”は、ランプアセンブリリング３８’”と相互接続するようにケーブル４８’”の自由端に取り付けられている。図１８に最良に示されるように、釣り合わせアセンブリ４４’”は、一般には、ランプアセンブリ１４’”の重りをオフセットする張力を備えたスプリング５０’”（又は他のバイアスする機構）を含む。釣り合わせアセンブリ４４’”はまた、ケーブル４８’”を確実に捉える一対のローラ５２ａ−ｂ’”を含む。ローラ５２ａ−ｂ’”は、Bellvilleウォッシャ５４ａ−ｂ’”でうまく嵌められ、所定の位置にケーブル４８’”を保持する制限ブレーキを提供する（図１９参照）。ランプアセンブリ１４’”の重りをオフセットすることによって、釣り合わせアセンブリ４４’”は、ユーザによって選択される位置にランプアセンブリ１４’”を保持する。これにより、ユーザはランプアセンブリ１４’”を単に上げ下げすることによってランプアセンブリ１４’”の明るさを設定することができる。代替的には、スプリング５０’”は、ランプアセンブリ１４’”とおよそ同じ重さを有する釣り合わせ重り（図示されていない）によって交換され得る。
【００２４】
さらなる代替的な実施形態（図示されていない）では、機械式調光器は、全体のランプアセンブリを移動させるというよりもむしろランプアセンブリ内に二次コイルを移動させるための機構を含み得る。例えば、ランプアセンブリは、ユーザがシャフトの上側又は下側にある二次コイルを滑らせてランプアセンブリ（図示されていない）の明るさを制御することができるように、固定されたシャフトに沿って滑らかに移動可能に取り付けられている二次コイルを含み得る。代替的に、二次コイルは、二次コイルの角度方向に対する変化を可能にするように二次ハウジング内に回転可能に取り付けられても良く、例えばホール接合部（図示されていない）に二次コイルを取り付けることができる。ノブ又はハンドル（図示されていない）は、線形又は角度移動を容易にするように二次ハウジングのスロットをはみ出してもよい。機械式調光器は、代替的には、一次ハウジング内の一次コイルを移動させるために類似の機構（図示されていない）を含み得る。
【００２５】
代替的な誘導的に動力を備えたランプ１００を図２０−２２に示す。この実施形態では、二次構成要素に与えられる電力量は、一次コイル１２０に関して二次コイル１２４の相対的な角度方向を変化させることによって制御させる。ランプ１１０は、一般には、基台１３０を含み、シャフト１３２は基台１３２に取り付けられ、アーム１３３は枢転可能にシャフト１３２に取り付けられる。一実施形態では、光源１２６は、アーム１３３の一端に配置され、釣合い重り１５０は反対端に配置される。電源回路は、望ましくは、第一に、基台１３０及びシャフト１３２に取り込まれ、リング形状の一次ハウジング１３４におけるシャフト１３２の上部に対して取り付けられる一次コイル１２０を含む。一次ハウジング１３４は、射出成形された部分１３４ａ−ｂから組み立てられる。支持部１４０は、シャフト１３２から一次ハウジング１３４によって画定される中心開口部に上に向かって延びている。支持部１４０は、アーム１３３を受け付けるようにされた凹状のクレードル１４２を画定する。アーム１３３は、アーム１３３の重心に配列される球体１４６を含む。球面１４６は、射出成形された部分１４６ａ及び１４６ｂから組み立てられ、クレードル１４２の内径と一致する外径を含む。従って、アーム１３３は、クレードル１４２で受け付けられる球体１４６と共に支持部１４０にそれを置くことによってシャフト１３２に取り付けられる。必要であれば、アーム１３３の安定性は、球体１４６を十分に重くすることによって改善され得る。例証した接続は、本質的に全方向にアーム１３３の旋回心軸の動きを可能にする。様々な代替的な接合が、アーム１３３をシャフト１３２に接続するのに用いられ得る。例えば、標準的なボール及びソケット又は標準的な自在継ぎ手が例証した接続に取って代わり得る。必要であれば、垂直移動又は水平移動のみのようなアーム１３３の限定された動きのみを提供する接続を用いてもよい。
【００２６】
動作上、アーム１３３は、クレードル１４２内の球体１４６の回転動作を生じさせてシャフト１３２に関して枢動可能に移動される。アーム１３３が移動すると、二次コイル１２４は、一次コイル１２０によって発生させられる磁界内を回転する。これは、結合係数及び光源１２６の明るさを変化させる。二次コイル１２４及び一次コイル１２０は、アーム１３３の所望の位置に最も明るい光を提供するように方向付けされ得る。例えば、光源１２６は、アーム１３３が実質的に水平である場合にその最高輝度となり、アーム１３３が水平位置から上下に移動するときにはだんだん減光する。代替的には、光源１２６は、アームが水平以下で下向きに移動するときに明るくなっても良い。釣合い重り１５０は、光源１２６の重りを押しとどめるように提供され、それによって、動かなければアーム１３３の相対的な位置を維持する。
【００２７】
上述した実施形態は、光源の明るさが一次コイル及び二次コイルの相対的な位置を変化させる機構によって制御されるアプリケーションに関する。しかしながら、本発明は、アプリケーションに限定されるものではない。むしろ、本発明は、装置に与えられる電力量を介した制御が望まれる場合に本質的に任意のアプリケーションで利用するようにうまく適合される。この点、本発明は、無限に調整可能で誘導的な電源を提供する。一次コイルについて二次コイルの位置を制御するための機構を回転（旋回）させることによって、電誘導結合を通して与えられる電力量が制御され得る。より詳細には、一次コイルと二次コイルの間の距離又は一次コイルと二次コイルの間の角度方向を調整することによって、誘導結合の結合係数が、誘導的な電源の範囲内で無限に調整され得る。この点、本発明は、無限に調整可能な電源を提供するだけでなく、電源と誘導的に動力を備えた装置との間の絶縁（隔離）をも提供し、それによって、無事利得を提供する。
【００２８】
本発明に従う調整可能な電源は、図２３に示される可変スピードファン２００に関係して詳細に説明される。例証される実施形態では、ファン２００は、一般に従来型のファンハウジング２８２内に収容される従来型の電気モーター２８０を含む。ファン２００は、電気モーター２８０のローター（図示されていない）に取り付けられる複数のファンブレード２８４ａ−ｃを含む。電気モーター２８０は、一次コイル２２０及び二次コイル２２４を有する電源回路２１８からの電力を受信する。二次コイル２２４は、二次コイル２２４の動きが誘導結合の結合係数を選択的に変化させ、そして順番に、モーター２８０に提供される電力を変化させるのに用いられ得るように、一次コイル２２０に近接して移動可能に取り付けられる。例えば、例証した実施形態では、二次コイル２２４は、調整棒２９０に取り付けられる。調整棒２９０は、一次コイル２２０に関して二次コイル２２４を移動するために、矢印Ａによって指示されるようにファンハウジングに関して内側及び外側に移動可能である。結果として、二次コイル２２４の調整は、ファン２００のスピードを選択的に制御するのに用いられ得る。この実施形態は二次コイル２２４を移動させるための機構を含んでいるが、結合係数は、代替的に、一次コイル２２０を移動させるための機構又は一次コイル２２０及び二次コイル２２４の両方を移動させるための機構を提供することによって調整され得る。上述したように、結合係数の調整は、一次コイルと二次コイルの間の物理的な距離を変化させることによって、及び／又は、一次コイルと二次コイルの間の相対的な角度方向を変化させることによって、成し遂げられ得る。
【００２９】
可変スピードファンと関係して述べたが、本発明に係る無限に調整可能な電源は、調整可能な電源が望まれる場合に他のアプリケーションで利用するようにうまく適合される。例えば、電源は、バッテリーチャージャー（図示されていない）に取り入れられ、この場合には、充電する電力は、一次コイル及び二次コイルの相対的な位置を調整することによって制御される。さらなる例として、電源は、電気ドリル（図示されていない）又は他の電力ツールに取り入れられ、この場合に、電気モーターに与えられる電力は一次コイルと二次コイルの間の相対的な位置を選択的に変化させることによって調整される。
【００３０】
別の実施形態では、卓上ランプ３００は、光出力の特性を変化させるように別の方向に配置されるランプアセンブリ３１４を提供する。図２４及び２５に例証される実施形態では、卓上ランプ３００は、直立した又は転倒した位置のいずれかに位置し得るランプアセンブリ３１４を含んでおり、その２つの位置が別の照明効果を作り出す。示してきたように、卓上ランプ３００は、基台３３０、シャフト３３２及び一次ハウジング３３４を有する基部３１２を含む。一次ハウジング３３４は、一次コイル３２０を包み、ランプアセンブリ３１４を支持するための環状構造を提供する。例証した実施形態では、透明プレート３４０がランプアセンブリ３１４を受け入れるように一次ハウジング３３４内に取り付けられる。プレート３４０は、ランプアセンブリ３１４を入れ子状に重ね入れるように中心開口部３４２を画定する。本実施形態では、ランプアセンブリ３１４は、一般には、支持リング３６０の反対側に配列される一対の光伝送ハウジング要素を有する“卵型の形状”である。より詳細には、ランプアセンブリ３１４は、透明ハウジング部分３６２及び半透明ハウジング部分３６４を含む。白熱バルブのような分離した光源は、各ハウジング部分３６２及び３６４内に配置してもよく、単一光源は、両方のハウジング部分３６２及び３６４にわたって配列されるように提供してもよい。ハウジング部分３５２及び３６４それぞれは、プレート３４０の中心開口部３４２の内径よりも小さい外径を有する。しかしながら、支持リング３６０の外径は、中心開口部３４２の内径よりも大きい。結果として、ランプアセンブリ３１４は、支持リング３６０の中心開口部３４２内に吊るすことができる。
【００３１】
利用時には、ランプ３００によって放射される光の特性は、ランプアセンブリ３１４を中心開口部３４２に対して異なる方向に配置することによって変化し得る。特に、透明ハウジング部分３６２が下方向を向いている状態でランプアセンブリ３１４を配置することにより、卓上ランプ３００は明るいクリアな光を表面に下向きに与えることができる一方で、低エネルギーの拡散光を表面から離れる上向きに与える。ランプアセンブリ３１４を転倒させて、それを、半透明ハウジング部分３６４が下方向を向いている状態で配置することにより、卓上ランプ３００は、低エネルギーの拡散光を下向きに表面に下向きに与え、明るいはっきりとした光を表面から離れる上向きに与える。ランプ３００による光放射の変化はまた、ハウジング部分３６２及び３６４に異なる物理的光学的特性を与えることによって達成され得る。例えば、２つのハウジング部分３６２及び３６４は、別の色彩の材料から製造され、異なるサイズ又は形状を与えられ、又は焦点、倍率及び拡散の変動値など異なるレンズ特性を用いて形成され得る。代替的には、ランプ３００による光放射の差は、ハウジング３６２及び３６４内に別の光源を提供することによって成し遂げられ得る。例えば、２つの光源は、異なるワット数を有するか又は異なるランプタイプであってもよい。一実施形態では、ハウジング３６２は、クリアなガラス又はポリマーから製造され、白い半透明なバルブを取り込む一方で、ハウジング３６４は、半透明のガラス又はポリマーから製造され、青色のＬＥＤを取り込む。
【００３２】
必要であれば、一次コイルと二次コイルの間の物理的な距離はまた、ランプアセンブリ３１４を中心開口部３４２に対して異なる位置に配置することによって変化し得る。二次コイル３２４が軸に沿って支持リング３６０を用いて整列される場合、二次コイル３２４は、透明部分３６２又は半透明部分３６４が上方向を向いているかどうかに関わらず一次コイル３２０と実質的に同じ配置である。他方では、二次コイル３２４が軸に沿って支持リング３６０からオフセットされる場合には、一次コイル３２０と二次コイル３２４との間の物理的な距離は、ランプアセンブリ３１４の方向次第で変化する。二次コイル３２４は、より多くの光出力が要求される配置次第でいずれかの方向に支持リング３６０からオフセットされ得る。
【００３３】
さらに別の態様では、本発明は、実在するネジ基盤のランプにおいて機能するように交換ランプ基部４００に組み込まれる。図２６に示すように、ランプ基部４００は、一次コイル４２０を駆動する電源回路４１８を取り込むハウジング４０２を含む。例証される実施形態では、ハウジング４０２は、電源回路４１８と一次コイル４２０を接続する２つの射出成形された部分から製造される。ハウジング４０２はまた、一般には従来型の白熱ランプの実在するネジ基盤と同一であるネジ基盤４０４を含む。ネジ基盤４０４は、ハウジング４０２の低い部分からはめ込まれ、従来型のランプソケット（図示されていない）に簡単にねじ込まれる。電気リード線（図示されていない）は、ハウジング４０２の対応する開口部を介してネジ基盤４０４から電源回路４１８に延びている。ハウジング４０２は、ランプレセプタクル４０８を画定し、誘導的なランプアセンブリ４１４を受け入れるようになっている。レセプタクル４０８は、ユーザが機械的に一次コイルと二次コイルの間のそれぞれの位置を変化させることができる機械式調光器を含み得る（図２７及び２８を参照）。しかしながら、機械式調光器は、必ずしも必要ではなく、レセプタクル４０８は、固定される位置でレセプタクル４０８内のランプアセンブリ４１４を保護するために差し込み付属部又は他の従来型の付属部を含み得る。図２７及び２８に示される代替的な実施形態では、レセプタクル４０８’は、ランプアセンブリ４１４’の位置を機械的に変化させることができるカム４１０ａ−ｂ’を含む。カム４１０ａ−ｂ’は、以下により詳細に記載されるように、二次ハウジング４０３’の下面の対応するカム４１２ａ−ｂ’と相互作用する。カム４１０ａ−ｂ’及び４１２ａ−ｂ’は、機械的にかつ選択的にレセプタクル４０８’内のランプアセンブリ４１４’の深さを変化させるためのネジ山又は他の同様の機構（図示されていない）によって交換され得る。レセプタクル４０８内の所望の位置にランプアセンブリ４１４を保持するのを助けるために、レセプタクル４０８及び二次ハウジング４０３は、互いに摩擦によって嵌合されるように構成される。この実施形態では、弾力性のあるＯ−リング４４０が二次ハウジング４０３の周囲に取り付けられ、確実な摩擦接合点を提供する。Ｏ−リング４４０は、望ましくは、それがハウジング４０３を上下に滑らないように補助するために環状の凹部（図示されていない）内に固定される。代替的には、Ｏ−リング４４０は、レセプタクル４０８の環状の凹部内に取り付けられ得る。更なる代替として、機械式調光器は、ハウジング４０２内の一次コイル４２０又は二次ハウジング４０３内の二次コイル４２４を移動させるための機構を含み得る。例えば、いずれかのコイルは、一次コイルと二次コイルとの間の距離を変化さえるためにその対応するハウジング内でその軸に沿って滑るように動作可能であるか、又はいずれかのコイルは、一次コイルと二次コイルの間の角度方向を変化させるためにそのハウジング内で回転して移動し得る。電源回路４１８は、一般には、コンポーネント値が所望の光源又は光源の範囲を適合させるように選定された状態では上述した電源回路１８と同一である。
【００３４】
ここで、図２６を参照すると、ランプアセンブリ４１４は、一般に、ランプレセプタクル４０８内に取り付けられるようになっている二次ハウジング４０３を含み、二次回路（図示されていない）は二次ハウジング４２５内に含まれ、光源４２６は二次ハウジング４２５から突き出している。二次ハウジング４２５は、一般には、二次コイル４２４及び二次回路（図示されていない）の残りの部分の周りに接続される２つの射出成形された部分を含む。上述したように、図２７に示される代替的な実施形態の二次ハウジング４０３’は、レセプタクル４０８のカム４１０ａ−ｂ’と相互作用するためにその下面にカム４１２ａ−ｂ’を含む。カム４１２ａ−ｂ’は、除去されるか又は他の機械式の減光機構と交換され得る。二次回路は、望ましくは、そのコンポーネント値が所望の光源４２６と一致するように選定された状態では上述の二次回路２２と概して同一である。
【００３５】
代替的な実施形態では、本発明は、風に対する聴覚的及び視覚的な反応を提供する誘導的に動力を備えたウィンドチャイム５００に組み込まれる（図２９−３１を参照）。一般には、ウィンドチャイム５００は、吊り下げリング５０４から吊るされる一次ハウジング５１２及び一次ハウジング５１２の中心で吊り下げリング５０４から吊るされる複数のチャイムアセンブリ５１４ａ−ｄを含む。一次ハウジング５１２は、ワイヤ５０２ａ−ｄ又は他の同様の部品によって吊り下げリング５０４から吊り下げられる。吊り下げリング５０４は、ウィンドチャイム５００を広範な位置で吊り下げられるように構成されている。例証される実施形態では、一次ハウジング５１２は、一次コイル５２０を収容する２つの射出成形される部分５１２ａ−ｂを含む（図３０参照）。電源回路（図示されていない）は、壁に埋め込んだコンセント（図示されていない）内に含まれる。電源回路５１８は、一般には、コンポーネント値が所望の光源又は光源の範囲を適合するように選定された状態では上述の電源回路１８と同一であり得る。
【００３６】
各チャイムアセンブリ５１４ａ−ｄは、対応するワイヤ５０６ａ−ｄによって一次ハウジング５１２の中心から吊り下げられる。分離したワイヤ５０６ａ−ｄにより、各チャイムアセンブリ５１４ａ−ｄは風に反応して自由に移動することができる。各チャイムアセンブリ５１４ａ−ｄは、一般には、チャイムハウジング５３０、光源５２６、二次回路５２２及びチャイム５３２を含む。例証される実施形態のチャイムハウジング５３０は、対応するワイヤ５０６ａ−ｄから吊り下げられる不透明な上部ハウジング部分５３０ａ及び上部ハウジング部分５３０ａの下面に取り付けられる透明な下部ハウジング部分５３０ｂを含んでいる。チャイムハウジング５３０は、二次コイル５２４、光源５２６及び任意の所望のキャパシタ５２８を含む二次回路５２２を取り込むための内部空間を画定する。二次回路５２２は、上側部分５３０ａ内に取り付けられ、その大部分は見えなくなっている。光源５２６は、上部ハウジング部分５３０ｂから下側へ下部ハウジング部分５３０ｂに延びている。チャイム５３２は、一般には、従来型のチャイムであり、各チャイムハウジング５３０の下端に取り付けられる。結果として、チャイムアセンブリ５１４ａ−ｄが風で動くとき、チャイム５３２は、互いに衝突して音を鳴らす。同時に、各チャイムアセンブリ５１４ａ−ｄが移動するとき、その二次コイル５２４は一次コイル５２０に向かいそして離れる動きをする。一次コイル５２０によって発生させられる磁界内での二次コイル５２４の動きは、光源５２６に与えられる電力量を変化させ、結果として、光源５２６の明るさを変化させる。より詳細には、チャイムアセンブリ５１４ａ−ｄが一次コイル５２０により近くに移動するとき、一次コイル５２０によって二次コイル５２４に転送される電力量は増大し、光源５２６は明るくなる。反対に、チャイムアセンブリ５１４ａ−ｄが一次コイル５２０から離れる移動をするとき、二次コイル５２４に転送される電力量は減少し、光源５２６は暗くなる。結果として、風力の増大は、チャイムアセンブリ５１４ａ−ｄの動きを大きくし、光源５２６の明るさの波動を大きくする。
【００３７】
さらなる態様では、本発明は、１又は複数の誘導的に動力を備えた装置であってそれぞれはそれ自身の二次コイルを有している装置に電力を誘導的に提供する一次コイルを有する誘導的な電源端末に関する。図３２−３５に例証される実施形態では、誘導的な電源端末６００は、一般には、電力レセプタクル６０２及び複数の脚部６０６ａ−ｃによって支持される蓄電レセプタクル６０８を含む。一次コイル６２０は、電力レセプタクル６０２の周りに配列され、電力レセプタクル６０２内に置かれた任意の誘導装置６５０ａ−ｃに誘導的な電力を提供する磁界を発生させる。述べてきた実施形態では、一次コイル６２０は、６．５インチの直径を有しており、一般に従来型のプラスティックボビン６３３の外周に巻きつけられた５０回巻のワイヤ６６３を含んでいる。ワイヤ６６３は、１インチに１回巻きつけられた８本の３２ゲージ絶縁ワイヤ要素からなるリッツ線であり、一次コイル６２０に改善された効率を提供し得る。一次コイル６２０は、一次ハウジング６３４内に取り込まれる。ここで、図３３を参照すると、一次ハウジング６３４は、一次コイル６２０を包む２つの環状の部分６３４ａ及び６３４ｂを含む。
【００３８】
電力レセプタクル６０２は、ランダムな位置及びランダムな方向にランプアセンブリ６１４ａ−ｂのような複数の誘導装置を受け入れることが意図されている。例証される実施形態では、電力レセプタクル６０２は、皿形状であり、ガラス又はプラスティックなどの透明又は半透明の材料から製造される。皿形状の電力レセプタクル６０２は、一次ハウジング６３４内に取り付けられ、支持されている。例証される電力レセプタクル６０２は、皿形状であり、レセプタクルは、様々な代替的な構造を有し得る。例えば、皿形状のレセプタクル６０２は、誘導的に動力を備えた装置が配置され得る水平面（図示されていない）と交換され、又は、誘導的に動力を備えた装置が吊り下げられ得る１又は複数のリングと交換され得る。さらなる例として、レセプタクルは、誘導的に動力を備えたウォールランプ又は誘導的に動力を備えたクロックのような様々な誘導装置が吊り下げられる垂直面に隣接したものであってもよい。
【００３９】
上述したように、例証される電源端末６００はまた、例えばネジ又は他の締め金具によって脚部６０６ａ−ｃに取り付けられる蓄電レセプタクル６０８を含む。蓄電レセプタクル６０８は、ランプアセンブリ６１４ｃのようなランプアセンブリ、そしてそれらが利用されていない場合には他の誘導的に動力を備えた装置を格納する場所を提供する。本実施形態では、電力レセプタクル６０２の形状を完全にするように蓄電レセプタクル６０８は皿形状であり、電力レセプタクル６０２の下側で基部６１２の上側にある端末６００の脚部６０６ａ−ｃの間に取り付けられる。蓄電レセプタクルのサイズ、形状、構成及び位置は、望まれるようにアプリケーションごとに変更し得る。代替的に、蓄電レセプタクル６０８は取り除いてよい。
【００４０】
また、電源端末６００は、一次コイル６２０に電力を供給する電源回路６１８を含む。例証される実施形態では、電源回路６１８は、ランプ基部６１２内に配列される。ここで図３４を参照すると、ランプ基部６１２は、一般には、電源回路６１８を包む上部ハウジング６１２ａ及び下部ハウジング６１２ｂを含む。電源回路６１８は、ボタン６９２によって動作する電力スイッチ６９０を含む。ボタン６９２は、スイッチ６９０を機能させるように上部ハウジング６１２で対応するアパーチャ６９４を介して下に延びている。ボタン６９２は半透明であり、電源回路６１８は電力がオンである場合にボタン６９２を照明する一対の電力指示ＬＥＤ６９６ａ−ｂを含み得る。一実施形態では、電源コード６９８は、下部ハウジング６１２ｂを貫通し、電気的にパワーインソケット６９９に接続され、電源回路６１８にＡＣ電力を提供する。電気リード線（図示されていない）は、１つの脚部６０６ａ−ｃで配線チャンネル（図示されていない）を介して電源回路６１８から一次コイル６２０に延びている。電源回路６１８は、望ましくは、上述した電源回路１８と同一である。電源回路６１８は、一次コイル６２０に与えられる電力を監視する能力を有しており、累積負荷（例えば、電力レセプタクル６０２に配置される誘導的に動力を備えた装置）の一定の特性を決定し、その後、監視される値の関数として一次コイル６２０に提供される電力の特性を調整する。一実施例では、電源回路６１８は、一次コイル６２０に供給される電流を監視し、電流値に基づいて一次コイル６１０に供給される電力の周波数を調整する。
【００４１】
例証される実施形態では、誘導的に動力を備えた装置は、複数のランプアセンブリ６１４ａ−ｃである。おそらく図３５に最良に示されているように、ランプアセンブリ６１４ａ−ｃのそれぞれは、一般には、光源６２６ａ−ｄ及び二次回路６２２を囲むランプハウジング６０４を含む。本実施形態では、ランプハウジング６０４は、２つのガラス又は射出成形されるプラスティックの部分６０４ａ−ｂから組み立てられ、そのうちの少なくとも１つは、透明又は半透明の材料から製造される。部分６０４ａ−ｂは、例えば接着材又はネジ山などのカバーリング６４０によって相互接続される。分離したＯ−リング６４２ａ−ｂは、カバーリング６４０と各部分６０４ａ−ｂの間に取り付けられ得る。二次回路６２２はランプハウジング６０４で囲まれており、一般には、二次コイル６２４及び光源６２６ａ−ｄと直列に接続される任意のキャパシタ６３０を含む。例証される実施形態では、光源は、複数のＬＥＤ６２６ａ−ｄを含む。この実施形態では、二次コイル６２４は、２インチの直径を有し、一般に従来型のプラスティックボビン６６２の外周に巻きつけられる２７回巻の２６ゲージストレートワイヤ６６４を含む。二次コイル６２４の特性（例えば巻数、コイルの径、ワイヤのタイプ）及び任意のキャパシタ６３０（例えば静電容量値）は、光源６２６ａ−ｄ及び一次コイル６２０によって供給される電力と一致するように選定される。
【００４２】
誘導的な電源端末の柔軟性を改善するために、誘導装置は、異なる方向に配置される複数のコイルを有する二次コイルを含む。単一のコイルが用いられるアプリケーションでは、ランダムに電力レセプタクル内に配置される装置は、磁界に対して実質的に平行に向けられるコイルを用いて配置される。そのような状況においては、二次コイルは、一次コイルから装置に動力を供給するのに十分な電力を受信しないかもしれない。多数のコイルの利用は、少なくとも１つのコイルが一次コイルによって発生させられる磁界の流線を少なくとも実質的に横切る尤度を大きく上昇させる二次コイルの配置を提供することによってこの問題に取り組む。例えば、誘導装置は、互いに９０度に向けられている２つのコイルと共に二次コイルを含み得る。この構成であれば、２つのコイルのうちの少なくとも１つは、磁界の流線を横切って延びて一次コイルから電力を受信する見込みがある。別個のコイルの数は、アプリケーションごとに様々であり、例えば、誘導装置は、広範な方向に改善された効率を提供するために異なる方向に３、４、６又は８個のコイルを含み得る。異なる方向に十分な数のコイルを提供することによって、誘導装置は、誘導装置の方向に関わらず一次コイルから電力を受信するように構成され得る。
【００４３】
一実施形態では、誘導的に動力を備えた装置は、デカルト３次元軸系のｘ、ｙ及びｚ軸のそれぞれに沿って方向付けされる３つの別個のコイル６７２ａ−ｃを有する二次コイル６７０を含む。図３６に示されるように、３つのボビン６６０ａ−ｃの配置は、３つのコイル６７２ａ−ｃを受信するように提供される。３つのボビン６６０ａ−ｃの直径は、ボビン６６０ａ−ｃがその他の中の１つに取り付けられ得るように変化する。二次コイルに誘導される電力が二次コイルの直径に比例することに鑑みれば、異なるサイズのボビンの利用は、結果としてそれぞれ二次コイルに供給される電力に不均衡を生じさせる。異なるコイル６７２ａ−ｃに誘導される電力の平衡をとることが望ましいアプリケーションでは、精密な巻数の追加がそのサイズに第一に依存するそれぞれ小さいボビンに付加されて、ワイヤの巻数の追加は、より小さいボビン６６０ａ−ｃに付加され得る。例えば、最も外部の二次コイル６７２ａが７回巻を含む場合、中間の二次コイル６７２ｂには８回巻を、そして最も内部の二次コイル６７２ｃには９回巻を含むことが望ましい。代替的には、球状のボビン（図示されていない）は、各コイルが所望の位置で例えばｘ、ｙ及びｚ軸の所望の方向に球状のボビンに巻きつけられた状態で、提供され得る。本実施形態は、３つの二次コイルの直径の差を減少させ、それによって、コイルの平衡を改善する。多数のコイルを有する二次コイルが誘導的に動力を備えたランプアセンブリ６１４と関係して説明されるが、多数のコイルを有する二次コイルは、実質的に任意の誘導的に電力を備えた装置に取り入れられ、磁界内の装置の様々な方向の電力転送を最大にする。例えば、セルホン（図示されていない）又は個人情報機器（図示されていない）は、上記の二次コイル６２２のような単一のコイルを備えた又は二次コイル６７０のような多数のコイルを備えた二次コイルを有する誘導的に動力を備えたバッテリーチャージャーを提供され得る。本実施形態では、二次コイル６７０は任意の方向に装置を充電するのに十分な電力を得ることができるので、多数のコイルを備えた二次コイルを有するセルホン又は個人情報機器は、その方向に関わらず電力レセプタクル６０２内でランダムに交換され得る。
【００４４】
図３８ａ−ｃは、３つのコイルの二次コイル６７０の３つの実施形態に対する回路図を示す。図３８ａは、３つの別個のコイル６７２ａ−ｃからＤＣ電源を提供する回路６８０を例証する。示されるように、３つのコイル６７２ａ−ｃは、負荷に対して並列に接続されており、各キャパシタ６７４ａ−ｃ及び各ダイオード６７６ａ−ｃの値は、共振回路を回路の負荷側に提供するように選定される。この回路６８０は、負荷に共振を提供するようにキャパシタを用いてそれぞれのコイル内に誘導される電力を結合し、ダイオード６７４ａ−ｃは回路６８０から出力される電圧を整流する。代替的には、ダイオード６７６ａ−ｃは、負荷に対するＡＣ電力を提供するように回路６８０から排除される。
【００４５】
図３８ｂは、別個のコイル６７２ａ−ｃ’からＤＣ電力を提供する半波整流器回路６８０’を例証する。示されるように、３つのコイル６７２ａ−ｃ’は、ダイオード６７６ａ−ｆ’の配置は各コイル６７２ａ−ｃ’と負荷の間に直列に接続されるが負荷に対して並列に接続される。本実施形態では、各ダイオード６７６ａ−ｆ’の値は、第一に負荷の特性に基づいて決定される。加えて、キャパシタ６７４ａ−ｃ’は、コイル６７２ａ−ｃ’の一方とその対応するダイオード６７６ａ−ｆ’の間に直列に接続される。各キャパシタ６７４ａ−ｃ’の値はまた、第一に負荷の特性に基づいて決定される。この回路６８０’は、負荷に共振を提供するようにキャパシタを用いてそれぞれのコイル内に誘導される電力を結合し、ダイオード６７６ａ−ｃは回路６８０’から出力される電圧を整流する。
【００４６】
図３８ｃは、３つの別個のコイル６７２ａ−ｃ”からＤＣ電力を提供する全波整流器回路６８０”を例証する。示されるように、３つのコイル６７２ａ−ｃ”は、ダイオード６７６ａ−ｌ”の配置は各コイル６７２ａ−ｃ”と負荷の間に直列に接続されるが負荷に対して並列に接続される。本実施形態では、各ダイオード６７６ａ−ｌ”の値は、第一に負荷の特性に基づいて決定される。加えて、キャパシタ６７４ａ−ｃ”は、コイル６７２ａ−ｃ”の一方とその対応するダイオード６７６ａ−ｌ”の間に直列に接続される。各キャパシタ６７４ａ−ｃ”の値は、第一に負荷の特性に基づいて決定される。３つのこれらの回路６８０、６８０’及び６８０”の全ては、ＤＣ電力を提供する機能を実現する。回路６８０は、おそらく最小費用の設計である一方で、回路６８０”は最良の制御をＤＣ出力に提供し、例えば、回路６８０”はおそらく他の２つの実施形態と比較して少ない揺らぎの出力を提供する。
【００４７】
利用時には、例証される誘導電源端末６００及び付随する光アセンブリ６１４ａ−ｃは、特徴があり美的に満足させる光源を提供する。システムによって放出される光量及び特性は、レセプタクル６０２内に配置されるランプアセンブリ６１４ａ−ｃの数を変更し、各ランプアセンブリ６１４ａ−ｃの位置を変更し、レセプタクル内の各ランプアセンブリ６１４ａ−ｃの方向を変更することによって、調整され得る。例えば、付加的なランプアセンブリ６１４ａ−ｃは、システムによって放出される明るさを増大させるようにレセプタクルに付加され得る。同様に、所定のランプアセンブリ６１４ａ−ｃの位置又は方向は、その特定のランプアセンブリ６１４ａ−ｃの光出力を制御するように変化し得る。
【００４８】
代替的な実施形態では、ランプアセンブリ６１４は、別個の二次コイル６２４ａ−ｂに接続される２つの光源６２６ａ−ｂを含む（図３７参照）。本実施形態では、ランプアセンブリ６１４は、２つの光源６２６ａ−ｂは、望ましくは、それぞれが異なる色の光を発生させる発光ダイオードである。二次コイル６２４ａ−ｂは、一の二次コイルに供給される電力が他の二次コイルに供給される電力に反比例するようにお互いに９０度に向けられる。例えば、電力レセプタクル６０２と共にランプアセンブリ６１４を回転することによって、一の二次コイルは、一次コイル６２０によって発生させられるより直接的に磁界を横切る位置に移動させられる一方で、他の二次コイルはその磁界をほとんど直接的に横切らない位置に移動させられる。結果として、ランプアセンブリ６１４は、各光源６２６ａ−ｂに供給される電力量を調整することによって、ランプアセンブリ６１４の色を選択的に制御するように電力レセプタクル６０２内で回転させられ得る。例えば、赤及び青の光源を用いると、ランプアセンブリ６１４は、純粋な赤から紫を介して純粋な青に変化する光を放出するように回転され得る。必要であれば、装置は、デカルト３次元座標系のｘ、ｙ及びｚ軸のそれぞれに沿うようにそれぞれが互いに９０度を向けられて３つの異なる二次コイルに提供され得る。この代替に従うと、各二次コイルは、別個の光源を駆動し、又は別個の電気的装置に動力を供給し得る。３軸の構成は、各二次コイルからの電圧を比較することによって装置の方向を算出するのに用いられ得ることにも注目すべきである。幾つかのアプリケーションでは、２つセットのコイル、１又は複数の装置に電力を提供するように設定をするための第１のコイル、及び位置情報を提供するための第２のコイルを誘導的に動力を備えた装置に提供することが望まれる。図３９ａ−ｄは、様々な多数の二次コイル回路に対する回路図を例証する。図３９ａは、各コイル７０２ａ−ｃが、光源、３チャンネル位置算出回路の単一のチャンネル又は他の誘導的に動力を備えた装置などの別々の負荷に接続される単純な３つの二次コイル回路７００を例証する。図３９ｂは、キャパシタ７１４ａ−ｃが各二次コイル７１２ａ−ｃとその対応する負荷の間に直列に接続される代替的な回路７１０を例証する。本実施形態では、各キャパシタ７１４ａ−ｃの容量値は、各二次コイル回路内の電力を調整するために対応する負荷及び対応する二次コイルのインダクタンスの関数として第一に選定される。図３９ｃは、キャパシタ７２４ａ−ｃ及びダイオード７２６ａ−ｃが各二次コイル７２２ａ−ｃとその対応する負荷の間に直列に接続される代替的な回路７２０を例証する。この回路７２０は、各負荷にＤＣ電力の別個のソースを提供するように制限した整流を提供する。本実施形態では、各キャパシタ７２４ａ−ｃ及びダイオード７２６ａ−ｃの容量値は、対応する負荷及び対応する二次コイルのインダクタンスの関数として第一に選定される。図３９ｄは、キャパシタ７３４ａ−ｃ及び一対のダイオード７３６ａ−ｆが各二次コイル７３２ａ−ｃとその対応する負荷の間に直列に接続される代替的な回路７３０を例証する。この回路７３０は、各負荷にＤＣ電力の別個のソースを提供するために半波整流器を提供する。本実施形態では、各キャパシタ７２４ａ−ｃ及びダイオード７２６ａ−ｃの容量値は、対応する負荷と対応する二次コイルのインダクタンスの関数として第一に選定される。例証してはいないが、各二次コイルは、代替的には、各負荷にＤＣ電力の別個のソースを提供するために全波整流器回路を含み得る。
【００４９】
誘導的な電源端末６００が特有のランプ構造と関係して例証されるが、誘導装置は、他のタイプの誘導的に動力を備えた装置を含み得る。例えば、セルホン、個人情報機器又は他の同様の装置は、誘導電源端末から電力を受信するように構成される誘導的に動力を備えたバッテリーチャージャーを含み得る。前記アプリケーションでは、誘導的に動力を備えた装置は、電力レセプタクル内にそれを配置することによって単純に充電され得る。誘導的に動力を備えた装置は、単純な再充電の装置よりもむしろ直接的に動力を供給するように二次コイルによって供給される電力を利用し得る。例えば、小型ラジオ、ＭＰ３音楽プレーヤー又は他のメディアプレーヤーは、誘導的な二次コイル回路を供給され、それらは電源端末によって動力を供給され得る。
【００５０】
上述の記載は、本発明の望ましい実施形態に係る記載である。様々な変更及び変化は添付される特許請求の範囲で画定される本発明の意図及び広範な特徴から逸脱することなしになされ得るものであり、均等論を含む特許法の原理に従って解釈されることになる。例えば冠詞“１つの”、“その”又は“前記”を用いている単数形のクレーム要素に対する任意の引用は単数形の要素を限定するものとして構成したものではない。
【図１】
2010288450.tif 000003
【図２】
2010288450.tif 000004
【図３】
2010288450.tif 000005
【図４】
2010288450.tif 000006
【図５】
2010288450.tif 000007
【図６】
2010288450.tif 000008
【図７】
2010288450.tif 000009
【図８】
2010288450.tif 000010
【図９】
2010288450.tif 000011
【図１０】
2010288450.tif 000012
【図１１ａ】
2010288450.tif 000013
【図１１ｂ】
2010288450.tif 000014
【図１２】
2010288450.tif 000015
【図１３】
2010288450.tif 000016
【図１４】
2010288450.tif 000017
【図１５】
2010288450.tif 000018
【図１６】
2010288450.tif 000019
【図１７】
2010288450.tif 000020
【図１８】
2010288450.tif 000021
【図１９】
2010288450.tif 000022
【図２０】
2010288450.tif 000023
【図２１】
2010288450.tif 000024
【図２２】
2010288450.tif 000025
【図２３】
2010288450.tif 000026
【図２４】
2010288450.tif 000027
【図２５】
2010288450.tif 000028
【図２６】
2010288450.tif 000029
【図２７】
2010288450.tif 000030
【図２８】
2010288450.tif 000031
【図２９】
2010288450.tif 000032
【図３０】
2010288450.tif 000033
【図３１】
2010288450.tif 000034
【図３２】
2010288450.tif 000035
【図３３】
2010288450.tif 000036
【図３４】
2010288450.tif 000037
【図３５】
2010288450.tif 000038
【図３６】
2010288450.tif 000039
【図３７】
2010288450.tif 000040
【図３８ａ】
2010288450.tif 000041
【図３８ｂ】
2010288450.tif 000042
【図３８ｃ】
2010288450.tif 000043
【図３９ａ】
2010288450.tif 000044
【図３９ｂ】
2010288450.tif 000045
【図３９ｃ】
2010288450.tif 000046
【図３９ｄ】
2010288450.tif 000047
【手続補正書】
【提出日】平成22年8月18日(2010.8.18)
【手続補正１】
【補正対象書類名】特許請求の範囲
【補正対象項目名】全文
【補正方法】変更
【補正の内容】
【特許請求の範囲】
【請求項１】
従来型のランプソケットで利用するための誘導アダプタであって、
従来型のネジ切りランプソケットに内に取り付けられるようになっているネジ基部と、  前記従来型のネジ切りランプソケットを介して電力を受信することに基づいて前記ネジに電気的に説億される電源回路と、前記電源回路に電気的に接続されており、前記電源回路から電力を受信する一次コイルと、ランプアセンブリレセプタクルとを含むアダプタ基部と、
前記ランプアセンブリレセプタクル内に取り付けられるランプアセンブリであって、前記ランプアセンブリは光源に電気的に接続される二次コイルを有しており、前記二次コイルは前記光源に電力を提供するように前記一次コイルから誘導的な電力をするランプアセンブリとを備えている誘導アダプタ。
【請求項２】
前記レセプタクル内の前記ランプアセンブリの位置を変化させるための機械式調光器をさらに備えている請求項１に記載の誘導アダプタ。
【請求項３】
前記機械式調光器は前記アダプタ及び前記ランプアセンブリの少なくとも１つに配列されるカムを含むことを特徴とする請求項２に記載の誘導アダプタ。
【請求項４】
前記機械式調光器は前記アダプタ及び前記ランプアセンブリの少なくとも１つに配列されるネジを含むことを特徴とする請求項２に記載の誘導アダプタ。
【請求項５】
前記ランプアセンブリレセプタクルは空隙を定義し、前記ランプアセンブリは前記空隙内に密接に取り付けられる二次コイルハウジングを含むことを特徴とする請求項２に記載の誘導アダプタ。
【請求項６】
前記ランプアセンブリレセプタクル及び二次コイルハウジングの少なくとも１つは、前記ランプアセンブリ及び前記二次コイルハウジングのその他を係合する弾性部材を含むことを特徴とする請求項５に記載の誘導アダプタ。
【請求項７】
誘導的に動力を備えたウィンドチャイムであって、
一次コイルを駆動する電源回路と、
前記一次コイルに隣接して移動可能に取り付けられる複数のチャイムアセンブリであって、風により前記チャイムアセンブリが前記一次コイルに関して移動するようになっておいるチャイムアセンブリとを備え、
前記チャイムアセンブリのそれぞれは、二次コイルと、前記二次コイルに電気的に接続される光源と、チャイムとを含み、
風による前記チャイムアセンブリの移動により、前記光源は明るさが変化し、前記チャイムは所望の音を作り出すようにお互いに衝突するようになっているウィンドチャイム。
【請求項８】
前記一次コイルは、一般的には環状であり、前記チャイムアセンブリのそれぞれは前記一次コイルを有する実質的な水平アライメントで前記二次コイルを有する一次コイル内に取り下げられていることを特徴とする請求項７に記載の誘導的に動力を備えたウィンドチャイム。
【請求項９】
前記チャイムアセンブリのそれぞれは、ハウジング、前記二次コイル及び前記ハウジング内に配列される前記光源をさらに含み、前記チャイムは前記ハウジングに取り付けられていることを特徴とする請求項８に記載の誘導的に動力を備えたウィンドチャイム。
【請求項１０】
第１の負荷と、
第１の大きさで前記第１の負荷に電力を提供するために前記第１の負荷に電気的に接続される第１の二次コイルと、
第２の負荷と、
第２の大きさで前記第２の負荷に電力を提供するために前記第２の負荷に電気的に接続される第２の二次コイルとを備え、
前記第１の二次コイルは、第１の巻数のワイヤを含み、前記第２の二次コイルは、第２の巻数のワイヤを含み、前記第２の二次コイルは、前記第１の二次コイルを用いて前記第２の二次コイルに誘導された電力の平衡をとるために追加の巻数のワイヤを含んでいる誘導的に動力を備えた装置。
【請求項１１】
前記第１の二次コイル及び前記第２の二次コイルは、装置について異なる方向に配列されており、前記第１の大きさ及び前記第２の大きさは、前記装置が磁界内で方向を変化させるように反比例の関係で変化することを特徴とする請求項１０に記載の誘導的に動力を備えた装置。
【請求項１２】
第３の大きさで前記第３の負荷に電力を提供するために前記第３の負荷に電気的に接続される第３の負荷及び第３の二次コイルをさらに含む請求項１０に記載の誘導的に動力を備えた装置。
【請求項１３】
前記第１の二次コイル、前記第２の二次コイル及び前記第３の二次コイルは、前記装置について異なる方向に配列されており、前記第１の大きさ、前記第２の大きさ及び前記第３の大きさは、前記装置が磁界内で方向を変化させるように変化することを特徴とする請求項１２に記載の誘導的に動力を備えた装置。
【請求項１４】
前記第１の二次コイル、前記第２の二次コイル及び前記第３の二次コイルは、お互いにおよそ９０度に向けられていることを特徴とする請求項１３に記載の誘導的に動力を備えた装置。
【請求項１５】
誘導的に動力を備えた光アセンブリであって、
磁界を発生させる一次コイルと、
光源と、第１の光透過部及び第２の光透過部を有するハウジングとを含むランプアセンブリとを備え、
前記第１の光透過部は、前記第２の光透過部とは異なる光透過特性を有しており、
前記ランプアセンブリは、前記磁界内で少なくとも第１の方向及び別個の第２の方向に取り付け可能であり、前記第１の方向のおいて、少なくとも前記第１の光透過部が露出され、前記第２の方向において、少なくとも前記第２の光透過部が露出される光アセンブリ。
【請求項１６】
前記第１の光透過部は、実質的に透明であり、前記第２の光透過部は、実質的に半透明である請求項１５に記載の光アセンブリ。
【請求項１７】
前記第１の光透過部は、前記第２の光透過部より大きいことを特徴とする請求項１５に記載の光アセンブリ。
【請求項１８】
前記第１の光透過部及び前記第２の光透過部の少なくとも１つは、レンズである請求項１５に記載の光アセンブリ。
【請求項１９】
前記第１の光透過部は、実質的に透明であり、前記第２の光透過部は、実質的に半透明であることを特徴とする請求項１５に記載の光アセンブリ。
【請求項２０】
前記第１の光透過部は、第１の色であり、前記第２の光透過部は、第２の色であり、前記第１の色は、前記第２の色とは異なることを特徴とする請求項１５に記載の光アセンブリ。